(57)【要約】  様々な干渉を有する無線環境において、効率的なデータ伝送を実現することができる端末装置、基地局装置を提供すること。端末装置と通信する基地局装置であって、チャネル状態情報の報告に関する設定である１つ以上のチャネル状態情報プロセスを設定する上位層処理部と、前記チャネル状態情報プロセスに基づいて報告されたチャネル状態情報を受信する受信部とを備え、前記チャネル状態情報プロセスのそれぞれは、チャネル状態情報推定用参照信号に関する情報と、チャネル状態情報推定用干渉測定リソースに関する情報と、前記チャネル状態情報を算出するために考慮する干渉に関する情報とを含む基地局装置。
2015166769.tif 000002
【特許請求の範囲】
【請求項１】
端末装置と通信する基地局装置であって、
チャネル状態情報の報告に関する設定である１つ以上のチャネル状態情報プロセスを設定する上位層処理部と、
前記チャネル状態情報プロセスに基づいて報告されたチャネル状態情報を受信する受信部とを備え、
前記チャネル状態情報プロセスのそれぞれは、チャネル状態情報推定用参照信号に関する情報と、チャネル状態情報推定用干渉測定リソースに関する情報と、前記チャネル状態情報を算出するために考慮する干渉に関する情報とを含む基地局装置。
【請求項２】
前記上位層処理部は、下りリンクのユーザデータを送信するための送信方法を示す情報である下りリンクの送信モードを設定し、
前記送信モードが所定の送信モードの場合、前記上位層処理部は前記チャネル状態情報を算出するために考慮する干渉に関する情報を設定する請求項１に記載の基地局装置。
【請求項３】
下りリンクの送信モードには、少なくともチャネル状態情報推定用参照信号に関する情報とチャネル状態情報推定用干渉測定リソースに関する情報を設定可能な送信モードを含み、
上位層処理部が前記チャネル状態情報推定用干渉測定リソースに関する情報を設定可能な送信モードを設定した場合、前記上位層処理部は前記チャネル状態情報を算出するために考慮する干渉に関する情報を設定する請求項２に記載の基地局装置。
【請求項４】
前記上位層処理部は、前記チャネル状態情報のフィードバック手順に関する情報を設定し、
前記チャネル状態情報のフィードバック手順に関する情報が所定のモードの場合、前記上位層処理部は前記チャネル状態情報を算出するために考慮する干渉に関する情報を設定する請求項１に記載の基地局装置。
【請求項５】
前記上位層処理部は、前記チャネル状態情報のフィードバックの種類に関する情報を設定し、
前記チャネル状態情報のフィードバック種類に関する情報が所定のモードの場合、前記上位層処理部は前記チャネル状態情報を算出するために考慮する干渉に関する情報を設定する請求項１に記載の基地局装置。
【請求項６】
前記チャネル状態情報の報告は、好適な空間多重数を指定するランク指標、好適なプレコーダを指定するプレコーディング行列指標及び好適な伝送レートを指定するチャネル品質指標ＣＱＩを含み、
上位層処理部が前記ランク指標を設定した場合、前記上位層処理部は前記チャネル状態情報を算出するために考慮する干渉に関する情報を設定する請求項１に記載の基地局装置。
【請求項７】
前記チャネル状態情報を算出するために考慮する干渉に関する情報は、当該端末装置以外の端末装置が接続しているセル識別子を含む請求項１に記載の基地局装置。
【請求項８】
前記チャネル状態情報を算出するために考慮する干渉に関する情報は、当該端末装置以外の端末装置が送信する送信電力を含む請求項１に記載の基地局装置。
【請求項９】
前記チャネル状態情報を算出するために考慮する干渉に関する情報は、当該端末装置以外の端末装置の受信状態情報用参照信号が割当てられたリソースを特定するための情報を含む請求項１に記載の基地局装置。
【請求項１０】
端末装置と通信する基地局装置の送信方法であって、
チャネル状態情報の報告に関する設定である１つ以上のチャネル状態情報プロセスを設定するステップと、
前記チャネル状態情報プロセスに基づいて報告されたチャネル状態情報を受信するステップとを有し、
前記チャネル状態情報プロセスのそれぞれは、チャネル状態情報推定用参照信号に関する情報と、チャネル状態情報推定用干渉測定リソースに関する情報と、前記チャネル状態情報を算出するために考慮する干渉に関する情報とを含む基地局装置の送信方法。
【発明の詳細な説明】
【技術分野】
【０００１】
本発明は、通信システムの基地局装置及び送信方法に関する。
【背景技術】
【０００２】
３ＧＰＰ（Third Generation Partnership Project）によるＷＣＤＭＡ（登録商標）（Wideband Code Division Multiple Access）、ＬＴＥ（Long Term Evolution）、ＬＴＥ−Ａ（LTE-Advanced）やＷｉＭＡＸ（Worldwide Interoperability for Microwave Access）のような通信システムでは、効率的なデータ伝送を実現するため、基地局装置（基地局、送信局、送信点、下りリンク送信装置、上りリンク受信装置、送信アンテナ群、送信アンテナポート群、コンポーネントキャリア、eNodeB）或いは基地局装置に準じる送信局と端末装置（移動局装置、受信局、受信点、上りリンク送信装置、下りリンク受信装置、移動端末、受信アンテナ群、受信アンテナポート群、UE:User Equipment）との間の伝送路状況に応じて、変調方式および符号化率（MCS:Modulation and Coding Scheme）、空間多重数（レイヤ数、ランク）が適応的に制御される。非特許文献１および非特許文献２ではこれらの制御方法が示されている。【０００３】
例えば、ＬＴＥにおいて、下りリンクで送信される下りリンク送信信号（例えば、PDSCH（Physical Downlink Shared Channel））のＭＣＳ、空間多重数等を適応的に制御する場合、端末装置は基地局装置から送信される下りリンク送信信号に含まれる下りリンク参照信号（DLRS:Down Link Reference Signal）を参照して、受信品質情報（或いは、チャネル状態情報（CSI:Channel State Information）とも称す）を計算し、上りリンクのチャネル（例えば、PUCCH）を介して前記基地局装置に前記受信品質情報をフィードバックする。前記基地局装置は、前記受信品質情報等を考慮して選択したＭＣＳや空間多重数が施された下りリンク送信信号を送信する。前記受信品質情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【先行技術文献】
【非特許文献】
【０００４】
【非特許文献１】３ｒｄ  Ｇｅｎｅｒａｔｉｏｎ  Ｐａｒｔｎｅｒｓｈｉｐ  Ｐｒｏｊｅｃｔ:Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ:Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）:Ｐｈｙｓｉｃａｌ  ｌａｙｅｒ  ｐｒｏｃｅｄｕｒｅｓ  （Ｒｅｌｅａｓｅ  １１）、２０１３年９月、３ＧＰＰ  ＴＳ３６．２１３  Ｖ１１．４．０  （２０１３−０９）
【０００５】
【非特許文献２】３ｒｄ  Ｇｅｎｅｒａｔｉｏｎ  Ｐａｒｔｎｅｒｓｈｉｐ  Ｐｒｏｊｅｃｔ:Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ:Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）:Ｒａｄｉｏ  Ｒｅｓｏｕｒｃｅ  Ｃｏｎｔｒｏｌ  （ＲＲＣ）:Ｐｒｏｔｏｃｏｌ  ｓｐｅｃｉｆｉｃａｔｉｏｎ（Ｒｅｌｅａｓｅ  １１）、２０１３年９月、３ＧＰＰ  ＴＳ３６．３３１  Ｖ１１．５．０  （２０１３−０９）
【０００６】
【非特許文献３】３ｒｄ  Ｇｅｎｅｒａｔｉｏｎ  Ｐａｒｔｎｅｒｓｈｉｐ  Ｐｒｏｊｅｃｔ:Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ:Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ  （Ｒｅｌｅａｓｅ  ９）、３ＧＰＰ  ＴＲ３６．８１４  ｖ９．０．０（２０１０−０３）  URL:http://www.3gpp.org/ftp/Specs/html-info/36814.htm
【発明の概要】
【発明が解決しようとする課題】
【０００７】
前記通信システムでは、基地局装置或いは基地局装置に準じる送信局がカバーするエリアをセル（Cell）状に複数配置するセルラ構成とすることにより、通信エリアを拡大することができる。このセルラ構成において、隣接するセル又はセクタ間で同一周波数を利用することで、周波数利用効率を向上させることができる。このセルラ構成において、さらに周波数利用効率を向上させるため、異なるセル半径のセルを重複するように配置するなどのセル構成の多様化（例えば、ヘテロジーニアスネットワークなど）が提案されている（非特許文献３）。【０００８】
前記通信システムでは、効率的なデータ伝送を実現するため、空間多重伝送（MIMO:Multi Input Multi Output）が適用される。さらに、周波数利用効率を向上させるために、空間多重数の増加や複数ユーザによる空間多重伝送（MU-MIMO:Multi User - MIMO）が適用されている（非特許文献１）。【０００９】
しかし、このようなセルラ構成では、セル端（セルエッジ）領域またはセクタ端領域にいる端末装置は、他セルや他セクタを構成する基地局装置の送信信号により干渉（セル間干渉、セクタ間干渉）を受ける。また、空間多重数の増加により、ストリーム間干渉（レイヤ間干渉、アンテナ間干渉）が増加する。このため、端末装置が前記下りリンク参照信号（DLRS）に基づいて受信品質情報を算出し、基地局装置にその受信品質情報をフィードバックした場合、基地局装置は、様々な干渉を有する無線環境において、最適なＭＣＳ、空間多重数等で下りリンク送信信号を送信できない場合がある。この結果、通信システムの周波数利用効率が充分に向上できない。【００１０】
本発明は、上記問題を鑑みてなされたものであり、その目的は、様々な干渉を有する無線環境において、効率的なデータ伝送を実現することができる端末装置、基地局装置、通信システム、送信方法、受信方法及び通信方法を提供することにある。
【課題を解決するための手段】
【００１１】
上述した課題を解決するために本発明に係る基地局装置及び送信方法の構成は、次の通りである。【００１２】
（１）本発明の一態様による基地局装置は、端末装置と通信する基地局装置であって、チャネル状態情報の報告に関する設定である１つ以上のチャネル状態情報プロセスを設定する上位層処理部と、前記チャネル状態情報プロセスに基づいて報告されたチャネル状態情報を受信する受信部とを備え、前記チャネル状態情報プロセスのそれぞれは、チャネル状態情報推定用参照信号に関する情報と、チャネル状態情報推定用干渉測定リソースに関する情報と、前記チャネル状態情報を算出するために考慮する干渉に関する情報とを含む基地局装置であることを特徴とする。【００１３】
（２）また、本発明の一態様による基地局装置は上記の基地局装置であって、前記上位層処理部は、下りリンクのユーザデータを送信するための送信方法を示す情報である下りリンクの送信モードを設定し、前記送信モードが所定の送信モードの場合、前記上位層処理部は前記チャネル状態情報を算出するために考慮する干渉に関する情報を設定する基地局装置であることを特徴とする。【００１４】
（３）また、本発明の一態様による基地局装置は上記の基地局装置であって、下りリンクの送信モードには、少なくともチャネル状態情報推定用参照信号に関する情報とチャネル状態情報推定用干渉測定リソースに関する情報を設定可能な送信モードを含み、上位層処理部が前記チャネル状態情報推定用干渉測定リソースに関する情報を設定可能な送信モードを設定した場合、前記上位層処理部は前記チャネル状態情報を算出するために考慮する干渉に関する情報を設定する基地局装置であることを特徴とする。【００１５】
（４）また、本発明の一態様による基地局装置は上記の基地局装置であって、前記上位層処理部は、前記チャネル状態情報のフィードバック手順に関する情報を設定し、前記受信状態情報のフィードバック手順に関する情報が所定のモードの場合、前記上位層処理部は前記チャネル状態情報を算出するために考慮する干渉に関する情報を設定する基地局装置であることを特徴とする。【００１６】
（５）また、本発明の一態様による基地局装置は上記の基地局装置であって、前記上位層処理部は、前記受信状態情報のフィードバックの種類に関する情報を設定し、前記受信状態情報のフィードバック種類に関する情報が所定のモードの場合、前記上位層処理部は前記チャネル状態情報を算出するために考慮する干渉に関する情報を設定する基地局装置であることを特徴とする。【００１７】
（６）また、本発明の一態様による基地局装置は上記の基地局装置であって、前記受信状態情報報告は、好適な空間多重数を指定するランク指標、好適なプレコーダを指定するプレコーディング行列指標及び好適な伝送レートを指定するチャネル品質指標ＣＱＩを含み、上位層処理部が前記ランク指標を設定した場合、前記上位層処理部は前記チャネル状態情報を算出するために考慮する干渉に関する情報を設定する基地局装置であることを特徴とする。【００１８】
（７）また、本発明の一態様による基地局装置は上記の基地局装置であって、前記チャネル状態情報を算出するために考慮する干渉に関する情報は、当該端末装置以外の端末装置が接続しているセル識別子を含むことを特徴とする。【００１９】
（８）また、本発明の一態様による基地局装置は上記の基地局装置であって、前記チャネル状態情報を算出するために考慮する干渉に関する情報は、当該端末装置以外の端末装置が送信する送信電力を含むことを特徴とする。【００２０】
（９）また、本発明の一態様による基地局装置は上記の基地局装置であって、前記チャネル状態情報を算出するために考慮する干渉に関する情報は、当該端末装置以外の端末装置の受信状態情報用参照信号が割当てられたリソースを特定するための情報を含むことを特徴とする。【００２１】
（１０）また、本発明の一態様による基地局装置の送信方法は、端末装置と通信する基地局装置の送信方法であって、チャネル状態情報の報告に関する設定である１つ以上のチャネル状態情報プロセスを設定するステップと、前記チャネル状態情報プロセスに基づいて報告されたチャネル状態情報を受信するステップとを有し、前記チャネル状態情報プロセスのそれぞれは、チャネル状態情報推定用参照信号に関する情報と、チャネル状態情報推定用干渉測定リソースに関する情報と、前記チャネル状態情報を算出するために考慮する干渉に関する情報とを含む基地局装置の送信方法を含むことを特徴とする。
【発明の効果】
【００２２】
この発明によれば、様々な干渉を有する無線環境において、効率的なデータ伝送を実現することができる。
【図面の簡単な説明】
【００２３】
【図１】本実施形態における通信システムの構成を示す概略図である。
【図２】本実施形態における無線フレームの概略構成を示す図である。
【図３】本実施形態における狭帯域ＣＳＩを算出する一例を示す図である。
【図４】本実施形態における狭帯域ＣＳＩを算出する別の例を示す図である。
【図５】本実施形態における下りリンクサブフレームにおける物理チャネルおよび物理信号の配置の一例を示す図である。
【図６】本実施形態における上りリンクサブフレームにおける物理チャネルおよび物理信号の配置の一例を示す図である。
【図７】本実施形態におけるチャネル状態情報を不定期に報告する場合のシーケンスを示す図である。
【図８】本実施形態に係る基地局装置１００−１の下りリンク物理リソースブロックにおける物理チャネルおよび物理信号の配置の一例を示す図である。
【図９】本実施形態に係る基地局装置１００−２の下りリンク物理リソースブロックにおける物理チャネルおよび物理信号の配置の一例を示す図である。
【図１０】本実施形態における基地局装置の構成を示す概略ブロック図である。
【図１１】本実施形態における端末装置の構成を示す概略ブロック図である。
【発明を実施するための形態】
【００２４】
以下、図面を参照して、本発明に係る実施形態について説明する。
【００２５】
図１は、本実施形態における通信システムの構成を示す概略図である。図１の通信システムは、基地局装置１００−１、１００−２、１００−３（基地局、送信局、送信点、下りリンク送信装置、上りリンク受信装置、送信アンテナ群、送信アンテナポート群、コンポーネントキャリア、eNodeB）及び端末装置２００−１、２００−２、２００−３（移動局装置、受信局、受信点、上りリンク送信装置、下りリンク受信装置、移動端末、受信アンテナ群、受信アンテナポート群、UE:User Equipment）で構成された例である。端末装置２００−１は、接続可能な範囲（セル、コンポネントキャリア）１００−１ａを有する基地局装置１００−１と接続している。端末装置２００−２は、接続可能な範囲（セル）１００−２ａを有する基地局装置１００−２と接続している。端末装置２００−３は、接続可能な範囲（セル、コンポネントキャリア）１００−３ａを有する基地局装置１００−３と接続している。図１では、セル１００−２ａ、１００−３ａはセル１００−１ａより、接続可能な範囲が狭くなっているが、同じような大きさのセル間でも、本実施形態で記載の通信システムを適用することができる。図１では、セル１００−１ａはセル１００−２ａを包含しているが、隣接するセル間でも、本実施形態で記載の通信システムを適用することができる。
【００２６】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２７】
図１において、基地局装置１００−１、１００−２、１００−３は、上りリンク信号ｒ１０１、ｒ１０３、ｒ１０５及び下りリンク信号ｒ１０２、ｒ１０４、ｒ１０６により、上りリンクデータ（例えば、UL-SCH:Uplink-Shared Channel）、下りリンクデータ（例えば、DL-SCH:Downlink-Shared Channel）、上りリンク制御情報（例えば、UCI:Uplink Control Information）、下りリンク制御情報（例えば、DCI:Downlink Control Information、など）、参照信号（UL-RS:Uplink-Reference Signal、DL-RS:Downlink-Reference Signal、など）を送受信する（信号の詳細は後述する）。
【００２８】
図１において、端末装置２００−１、２００−２、２００−３は、高度な受信機能（高度な信号検出機能、NAICS:Network Assisted Interference Cancellation and Suppression、高度なSU-MIMO検出:Single User - Multiple Input Multiple Output detection）を設定することができる。高度な受信機能は、線形検出、最尤推定、干渉キャンセラ等がある。線形検出は、Ｅｎｈａｎｃｅｄ  ＬＭＭＳＥ−ＩＲＣ（Linear Minimum Mean Square Error-Interference Rejection Combining）、ＷＬＭＭＳＥ−ＩＲＣ（Widely Linear MMSE-IRC）等である。最尤推定は、ＭＬ（Maximum Likelihood）、Ｒ−ＭＬ（Reduced complexity ML）、Ｉｔｅｒａｔｉｖｅ  ＭＬ、Ｉｔｅｒａｔｉｖｅ  Ｒ−ＭＬ等である。干渉キャンセラは、Ｔｕｒｂｏ  ＳＩＣ（Successive Interference Cancellation）、ＰＩＣ（Parallel Interference Cancellation）、Ｌ−ＣＷＩＣ（Linear Code Word level SIC）、ＭＬ−ＣＷＩＣ（ML Code Word level SIC）、ＳＬＩＣ（Symbol Level IC）、等である。前記ＮＡＩＣＳにおける高度な受信機能は、前記線形検出、前記最尤推定、前記干渉キャンセラ等が該当する。前記ＳＵ−ＭＩＭＯ検出における高度な受信機能は、前記最尤推定、前記干渉キャンセラが該当する。
【００２９】
前記端末装置２００−１、２００−２、２００−３は、高度な受信機能を有さない設定をすることができる。例えば、前記ＮＡＩＣＳにおける高度な受信機能を有する端末装置と対比すると、前記高度な受信機能を有さない端末装置はＭＭＳＥ、ＬＭＭＳＥ−ＩＲＣ検出などの線形受信を具備する端末装置が該当する。例えば、前記ＳＵ−ＭＩＭＯ検出における高度な受信機能を有する端末装置と対比すると、前記高度な受信機能を有さない端末装置はＭＭＳＥ検出を具備する端末装置が該当する。
【００３０】
図１において、端末装置２００−１にとって、下りリンク信号ｒ１０４、ｒ１０６は、セル間干渉（セクタ間干渉とも呼ばれる）となる。端末装置２００−２にとって、下りリンク信号ｒ１０２は、セル間干渉となる。端末装置２００−１、２００−２、２００−３は、前記高度な受信機能を用いて前記セル間干渉を除去又は抑圧することができる。図１において、基地局装置１００−１、１００−２、１００−３は、下りリンク信号ｒ１０２、ｒ１０４、ｒ１０６を空間多重伝送することができる。この場合、各端末装置は、ストリーム間干渉（レイヤ間干渉、アンテナ間干渉）を受ける。端末装置２００−１、２００−２、２００−３は、前記高度な受信機能を用いて前記ストリーム間干渉を除去又は抑圧することができる。
【００３１】
図１において、基地局装置１００−１、１００−２、１００−３は所定の無線フレームの構成に従って下りリンク信号ｒ１０１、ｒ１０３、ｒ１０５を送信する。端末装置２００−１、２００−２、２００−３は所定の無線フレーム構成に従って上りリンク信号ｒ１０２、ｒ１０４、ｒ１０６を送信する。
【００３２】
図２は、本実施形態における無線フレームの概略構成を示す図である。図２において、横軸は時間軸を示している。例えば、周波数分割複信（FDD:Frequency Division Duplex）において、基地局装置１００−１、１００−２、１００−３及び端末装置２００−１、２００−２、２００−３は各々、図２の無線フレームに従って信号ｒ１０１乃至ｒ１０６を送信する。例えば、各無線フレームの長さは、Ｔｆ＝３０７２００・Ｔｓ＝１０ｍｓである。Ｔｆは、無線フレーム期間（Radio frame duration）と呼称される。Ｔｓは、基準時間単位（Basic time unit）と呼称される。
【００３３】
無線フレームは２つのハーフフレームから構成され、各ハーフフレームの長さは１５３６００・Ｔｓ＝５ｍｓである。各ハーフフレームは５つのサブフレームから構成され、各サブフレームの長さは３０７２０・Ｔｓ＝１ｍｓである。
【００３４】
各サブフレームは２つの連続するスロットによって定義され、各スロットの長さは、Ｔｓｌｏｔ＝１５３６０・Ｔｓ＝０．５ｍｓ長である。無線フレーム内のｉ番目のサブフレームは、（２×ｉ）番目のスロットと（２×ｉ＋１）番目のスロットとから構成される。すなわち、１０ｍｓ間隔のそれぞれにおいて、１０個のサブフレームが利用できる。ここで、サブフレームを、ＴＴＩ（Transmission Time Interval）とも称する。なお、図２は、周波数分割複信を適用した例であるが、時間分割複信（TDD:Time Division Duplex）も適用することができる。
【００３５】
各スロットにおいて送信される物理信号または物理チャネルは、リソースグリッドによって表現される。下りリンクにおいて、リソースグリッドは、複数のサブキャリアと複数のＯＦＤＭシンボルによって定義される。上りリンクにおいて、リソースグリッドは、複数のサブキャリアと複数のＳＣ−ＦＤＭＡシンボルによって定義される。
【００３６】
１つのスロットを構成するサブキャリアの数は、システム帯域幅（セルの帯域幅）に依存する。例えば、１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別される。
【００３７】
リソースブロックは、ある物理チャネル（PDSCH、PUSCHなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。
【００３８】
例えば、１つの物理リソースブロックは、時間領域において７個の連続するＯＦＤＭシンボルまたはＳＣ−ＦＤＭＡシンボルと、周波数領域において１２個の連続するサブキャリアとから定義される。１つの物理リソースブロックは（７×１２）個のリソースエレメントから構成される。１つの物理リソースブロックは、時間領域において１つのスロットに対応し、周波数領域において１８０ｋＨｚに対応する。物理リソースブロックは周波数領域において０から番号が付けられる。
【００３９】
図１において、基地局装置１００−１、１００−２、１００−３から端末装置２００−１、２００−２、２００−３への下りリンク信号ｒ１０１、ｒ１０３、ｒ１０５を用いた無線通信は、下りリンク物理チャネルが用いられる。下りリンク物理チャネルは、上位層から出力された情報を送信するために使用できる。下りリンク物理チャネルは、ＰＢＣＨ（Physical Broadcast Channel）、ＰＣＦＩＣＨ（Physical Control Format Indicator Channel）、ＰＨＩＣＨ（Physical Hybrid automatic repeat request Indicator Channel）、ＰＤＣＣＨ（Physical Downlink Control Channel）、ＥＰＤＣＣＨ（Enhanced Physical Downlink Control Channel）、ＰＤＳＣＨ（Physical Downlink Shared Channel）、ＰＭＣＨ（Physical Multicast Channel）などを含む。
【００４０】
ＰＢＣＨは、各セルにおいて、基地局装置と接続する端末装置で共通に用いられるマスターインフォメーションブロック（MIB:Master Information Block、BCH:Broadcast Channel）を報知するために用いられる。ＭＩＢはシステム情報である。例えば、ＭＩＢは、無線フレームの番号を示す情報（SFN:system frame number）、システム帯域幅、送信アンテナ数などの基本情報を含む。
【００４１】
ＰＣＦＩＣＨは、ＰＤＣＣＨの送信に用いられる領域（OFDMシンボル）を指示する情報を送信するために用いられる。
【００４２】
ＰＨＩＣＨは、基地局装置１００−１、１００−２、１００−３が受信した上りリンクデータ（例えば、PUSCH:Physical Uplink Shared Channel、詳細は後述）に対するＡＣＫ（ACKnowledgement）またはＮＡＣＫ（Negative ACKnowledgement）を示すＨＡＲＱインディケータ（HARQフィードバック、応答情報）を送信するために用いられる。
【００４３】
ＰＤＣＣＨおよびＥＰＤＣＣＨは、下りリンク制御情報（DCI:Downlink Control Information）を送信するために用いられる。下りリンク制御情報の送信に対して、複数のＤＣＩフォーマットが定義される。下りリンク制御情報に対するフィールドがＤＣＩフォーマットに定義され、情報ビットへマップされる。下りリンク制御情報を、ＤＣＩフォーマットと称してもよい。
【００４４】
基地局装置は、高度な受信機能の適用に関する情報を明示的に（explicitly）又は暗黙的に（implicitly）報告することができる。例えば、ＤＣＩフォーマットは、端末装置が前記高度な受信機能の適用に関する情報を送信するためのフィールドを含めることができる。また、ＤＣＩフォーマットは、複数のＤＣＩフォーマットのうち、特定のＤＣＩフォーマットを用いることにより、端末装置が前記高度な受信機能の適用に関する情報を報告することができる。
【００４５】
例えば、下りリンクに対するＤＣＩフォーマットとして、ＤＣＩフォーマット１Ａ、ＤＣＩフォーマット１Ｂ、ＤＣＩフォーマット１Ｄ、ＤＣＩフォーマット１、ＤＣＩフォーマット２Ａ、ＤＣＩフォーマット２Ｂ、ＤＣＩフォーマット２Ｃ、ＤＣＩフォーマット２Ｄなどの複数のＤＣＩフォーマットが定義される。前記複数のＤＣＩフォーマットは、下りリンクに対するＤＣＩとして必要な制御情報の種類（フィールド）、必要な制御情報の情報量（ビット数）などによって定義される。
【００４６】
例えば、下りリンクに対するＤＣＩフォーマットには、ＰＤＳＣＨのスケジューリングに関する情報が含まれる。下りリンクに対するＤＣＩフォーマットを、下りリンクグラント（または、下りリンクアサインメント）とも称する。例えば、下りリンクに対するＤＣＩフォーマットには、リソースブロック割り当てに関する情報、ＭＣＳ（Modulation andCoding Scheme）に関する情報、空間多重数（レイヤ数）に関する情報、ＰＵＣＣＨに対するＴＰＣコマンドに関する情報、下りリンク割り当てインデックス（Downlink Assignment Index:DAI）などの下りリンク制御情報が含まれる。
【００４７】
例えば、端末装置は、下りリンクに対する下りリンク制御情報(DCI)において、前記端末装置が前記高度な受信機能の適用に関する情報を受けた場合、そのＤＣＩでスケジューリングされたＰＤＳＣＨを高度な受信機能を用いて信号検出する。
【００４８】
別の例では、端末装置は、下りリンク制御情報において、前記高度な受信の適用に関する情報を受けた場合、その後の下りリンク制御情報で前記高度な受信の適用に関する情報を受けるまで、スケジューリングされたＰＤＳＣＨを高度な受信機能を用いて信号検出する。前記端末装置が前記高度な受信の適用に関する情報は、“０”“１”により高度な受信機能の適否を示してもよい。また、下りリンク制御情報中における前記高度な受信の適用に関する情報の有無により高度な受信機能の適否を示してもよい。
【００４９】
また、下りリンク制御情報には、無線リソースが割り当てられた下りリンク物理チャネルに対する干渉信号に関する情報を含むことができる。例えば、前記干渉信号に関する情報は、スケジューリングされたＰＤＳＣＨを検出する際に用いる干渉信号に関する情報である。前記干渉信号に関する情報は、変調方式、ＭＣＳ（Modulation and Coding Scheme）に関する情報、空間多重数（レイヤ数）に関する情報、アンテナポートに関する情報など、干渉信号の復調に必要な情報である。
【００５０】
また、ＤＣＩフォーマットには、上りリンクに対するＤＣＩフォーマットが含まれる。例えば、１つのセルにおける１つのＰＵＳＣＨ（１つの上りリンクトランスポートブロックの送信）のスケジューリングのために使用されるＤＣＩフォーマット０やＤＣＩフォーマット４が定義される。
【００５１】
例えば、上りリンクに対するＤＣＩフォーマットには、ＰＵＳＣＨのスケジューリングに関する情報が含まれる。例えば、上りリンクに対するＤＣＩフォーマットには、リソースブロック割り当てに関する情報、ＭＣＳに関する情報、ＰＵＳＣＨに対するＴＰＣコマンドに関する情報などの下りリンク制御情報が含まれる。ここで、上りリンクに対するＤＣＩフォーマットを、上りリンクグラント（または、上りリンクアサインメント）とも称する。
【００５２】
また、上りリンクに対するＤＣＩフォーマットは、下りリンクのチャネル状態情報（CSI:Channel State Information。受信品質情報とも称する。）を要求（CSI request）するために用いることができる。チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する（詳細は後述する）。
【００５３】
また、上りリンクに対するＤＣＩフォーマットには、端末装置がＣＳＩを算出するために考慮する干渉に関する情報（干渉情報）を示すために用いることができる。例えば、干渉情報は、当該端末装置以外の端末装置に関する情報が該当する。例えば、干渉情報は、その干渉信号のセルＩＤ（Cell ID、virtual cell ID）、アンテナポートに関する情報、変調方式、ＭＣＳ（Modulation and Coding Scheme）に関する情報、空間多重数（レイヤ数）に関する情報、送信電力に関する情報などの干渉信号の復調に必要な情報である。また、干渉情報には、干渉信号においてＣＳＩ−ＲＳが割当てられたリソースを特定するための情報を含めることができる。なお、ＣＳＩを算出するために考慮する干渉に関する情報は、前記無線リソースが割り当てられた下りリンク物理チャネルに対する干渉信号に関する情報と異なる内容とすることができる。
【００５４】
なお、本実施形態において、干渉信号における参照信号は、ＣＳＩ−ＲＳ、ＣＲＳおよび／またはＤＭＲＳなどである。干渉情報は、干渉信号における参照信号を特定するための一部または全部の情報を含む。干渉情報が干渉信号における参照信号を特定するための一部の情報を含む場合、端末装置は複数の参照信号の候補を順番に検出を試みることにより、参照信号を特定することができる。
【００５５】
また、上りリンクに対するＤＣＩフォーマットは、干渉信号を考慮して算出するＣＳＩにおけるその干渉信号を指定する情報を含む。例えば、前記ＣＳＩを算出するために考慮する干渉に関する情報が複数の干渉に関するものである場合（CSIを算出するために考慮すべき干渉信号の候補が複数ある場合）、その複数の干渉信号から、ＣＳＩを算出する際に考慮すべき干渉信号を示す情報（例えば、考慮すべき干渉信号のIndex）である。
【００５６】
また、上りリンクに対するＤＣＩフォーマットは、端末装置が基地局装置にフィードバックするチャネル状態情報報告(CSI feedback report)をマップする上りリンクリソースを示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５７】
例えば、チャネル状態情報報告は、不定期なチャネル状態情報（Aperiodic CSI）を報告する上りリンクリソースを示す設定のために用いることができる。チャネル状態情報報告は、不定期的にチャネル状態情報を報告するモード設定（CSI report mode）のために用いることができる。基地局装置１００−１、１００−２、１００−３は、前記定期的なチャネル状態情報報告又は前記不定期的なチャネル状態情報報告のいずれかを設定することができる。また、基地局装置１００−１、１００−２、１００−３は、前記定期的なチャネル状態情報報告及び前記不定期的なチャネル状態情報報告の両方を設定することもできる。
【００５８】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００５９】
また、前記上りリンクに対するＤＣＩフォーマットにおいて、前記定期的なチャネル状態情報報告又は前記不定期的なチャネル状態情報報告と前記チャネル状態情報報告の種類を含めたモード設定のために用いることができる。例えば、不定期的なチャネル状態情報報告かつ広帯域ＣＳＩを報告するモード、不定期的なチャネル状態情報報告かつ狭帯域ＣＳＩを報告するモード、不定期的なチャネル状態情報報告かつ広帯域ＣＳＩ及び狭帯域ＣＳＩを報告するモード、定期的なチャネル状態情報報告かつ広帯域ＣＳＩを報告するモード、定期的なチャネル状態情報報告かつ狭帯域ＣＳＩを報告するモード、定期的なチャネル状態情報報告かつ広帯域ＣＳＩ及び狭帯域ＣＳＩを報告するモードなどがある。
【００６０】
端末装置２００−１、２００−２、２００−３は、下りリンクアサインメントを用いてＰＤＳＣＨのリソースがスケジュールされた場合、スケジュールされたＰＤＳＣＨで下りリンクデータを受信する。また、端末装置２００−１、２００−２、２００−３は、上りリンクグラントを用いてＰＵＳＣＨのリソースがスケジュールされた場合、スケジュールされたＰＵＳＣＨで上りリンクデータおよび／または上りリンク制御情報を送信する。
【００６１】
端末装置２００−１、２００−２、２００−３は、ＰＤＣＣＨ候補（PDCCH candidates）および／またはＥＰＤＣＣＨ候補（EPDCCH candidates）のセットをモニタする。以下の説明において、ＰＤＣＣＨは、ＰＤＣＣＨおよび／またはＥＰＤＤＣＨを示していてもよい。ＰＤＣＣＨ候補とは、基地局装置１００−１、１００−２、１００−３によって、ＰＤＣＣＨがマップおよび送信される可能性のある候補を示している。また、モニタとは、モニタされる全てのＤＣＩフォーマットに応じて、ＰＤＣＣＨ候補のセット内のＰＤＣＣＨのそれぞれに対して、端末装置２００−１、２００−２、２００−３がデコードを試みるという意味が含まれてもよい。
【００６２】
端末装置２００−１、２００−２、２００−３が、モニタするＰＤＣＣＨ候補のセットは、サーチスペースとも称される。サーチスペースには、コモンサーチスペース（CSS:Common Search Space）およびユーザ装置スペシフィックサーチスペース（USS:UE-specific Search Space）が含まれる。ＣＳＳは、基地局装置が構成するあるセルにおいて、その基地局装置と接続する複数の端末装置が共通してＰＤＣＣＨおよび／またはＥＰＤＣＣＨをモニタする領域である。端末装置２００−１、２００−２、２００−３は、ＣＳＳおよび／またはＵＳＳにおいて、ＰＤＣＣＨをモニタし、自装置宛てのＰＤＣＣＨを検出する。
【００６３】
下りリンク制御情報の送信（ＰＤＣＣＨでの送信）には、基地局装置１００−１、１００−２、１００−３が端末装置２００−１、２００−２、２００−３に割り当てたＲＮＴＩが利用される。具体的には、下りリンク制御情報にＣＲＣ（Cyclic Redundancy check:巡回冗長検査）パリティビットが付加され、付加された後に、ＣＲＣパリティビットがＲＮＴＩによってスクランブルされる。ここで、下りリンク制御情報に付加されるＣＲＣパリティビットは、下りリンク制御情報のペイロードから得られてもよい。
【００６４】
端末装置２００−１、２００−２、２００−３は、ＲＮＴＩによってスクランブルされたＣＲＣパリティビットが付加された下りリンク制御情報に対してデコードを試み、ＣＲＣが成功した下りリンク制御情報を、自装置宛の下りリンク制御情報として検出する（ブラインドデコーディングとも呼称される）。すなわち、端末装置２００−１、２００−２、２００−３は、ＲＮＴＩによってスクランブルされたＣＲＣを伴うＰＤＣＣＨを検出する。また、端末装置１は、ＲＮＴＩによってスクランブルされたＣＲＣパリティビットが付加されたＤＣＩフォーマットを伴うＰＤＣＣＨを検出する。
【００６５】
ＰＤＳＣＨは、下りリンクデータを送信するために用いられる。以下、ＰＤＳＣＨでの下りリンクデータの送信を、ＰＤＳＣＨでの送信とも記載する。また、ＰＤＳＣＨでの下りリンクデータの受信を、ＰＤＳＣＨでの受信とも記載する。
【００６６】
ＰＤＳＣＨは、システムインフォメーションブロックタイプ１メッセージを送信するために用いられる。また、システムインフォメーションブロックタイプ１メッセージは、セルスペシフィック（セル固有）な情報である。また、システムインフォメーションブロックタイプ１メッセージは、ＲＲＣメッセージ（共通RRCメッセージ、端末共通のRRCメッセージ）である。
【００６７】
ＰＤＳＣＨは、システムインフォメーションメッセージを送信するために用いられる。システムインフォメーションメッセージは、システムインフォメーションブロックタイプ１以外のシステムインフォメーションブロックＸを含んでもよい。また、システムインフォメーションメッセージは、セルスペシフィック（セル固有）な情報である。また、システムインフォメーションメッセージは、ＲＲＣメッセージである。
【００６８】
ＰＤＳＣＨは、ＲＲＣメッセージを送信するために用いられる。基地局装置１００−１、１００−２、１００−３から送信されるＲＲＣメッセージは、セル内における複数の端末装置に対して共通であってもよい。また、基地局装置１００−１から送信されるＲＲＣメッセージは、端末装置２００−１に対して専用のメッセージ（dedicated signalingとも称する）であってもよい。同様に、基地局装置１００−２、１００−３から送信されるＲＲＣメッセージは、端末装置２００−２、２００−３に対して専用のメッセージであってもよい。すなわち、ユーザ装置スペシフィック（ユーザ装置固有）な情報は、ある端末装置に対して専用のメッセージを使用して送信される。また、ＰＤＳＣＨは、ＭＡＣ  ＣＥ（Control Element）を送信するために用いられる。ここで、ＲＲＣメッセージおよび／またはＭＡＣ  ＣＥを、上位層の信号（higher layer signaling）とも称する。
【００６９】
ＰＤＳＣＨは、端末装置が前記高度な受信機能の適用に関する情報を報告するために用いることができる。例えば、ＲＲＣメッセージは端末装置が前記高度な受信を適用するかに関する情報を含むことができる。
【００７０】
例えば、端末装置は、ＰＤＳＣＨにより前記高度な受信機能の適用に関する情報を受けた場合、その後のＰＤＳＣＨで前記高度な受信の適用に関する情報を受けるまで、スケジューリングされたＰＤＳＣＨを高度な受信機能を用いて信号検出する。前記端末装置が前記高度な受信機能の適用に関する情報は、“０”“１”により高度な受信機能の適否を示してもよい。また、ＰＤＳＣＨの中における前記端末装置が前記高度な受信の適用に関する情報の有無により高度な受信機能の適否を示してもよい。
【００７１】
また、ＰＤＳＣＨには、無線リソースが割り当てられた下りリンク物理チャネルに対する干渉信号に関する情報を含むことができる。例えば、前記干渉信号に関する情報は、スケジューリングされたＰＤＳＣＨを検出する際に用いる干渉信号に関する情報である。前記干渉信号に関する情報は、変調方式、ＭＣＳに関する情報、空間多重数に関する情報、アンテナポートに関する情報など、干渉信号の復調に必要な情報である。
【００７２】
ＰＤＳＣＨは、下りリンクのチャネル状態情報を要求するために用いることができる。チャネル状態情報は、好適な空間多重数を指定するランク指標ＲＩ、好適なプレコーディング行列を指定するプレコーディング行列指標ＰＭＩ、好適な伝送レートを指定するチャネル品質指標ＣＱＩなどが該当する。
【００７３】
ＰＤＳＣＨには、端末装置がＣＳＩを算出するために考慮する干渉に関する情報（干渉情報）を示すために用いることができる。例えば、干渉情報は、当該端末装置以外の端末装置に関する情報が該当する。例えば、干渉情報は、その干渉信号のセルＩＤ（Cell ID、virtual cell ID）、アンテナポートに関する情報、変調方式、ＭＣＳ（Modulation and Coding Scheme）に関する情報、空間多重数（レイヤ数）に関する情報、送信電力に関する情報などの干渉信号の復調に必要な情報である。なお、ＣＳＩを算出するために考慮する干渉に関する情報は、前記無線リソースが割り当てられた下りリンク物理チャネルに対する干渉信号に関する情報と異なる内容とすることができる。
【００７４】
ＰＤＳＣＨは、干渉信号を考慮して算出するＣＳＩにおけるその干渉信号を指定する情報を含む。例えば、前記ＣＳＩを算出するために考慮する干渉に関する情報が複数の干渉に関するものである場合（CSIを算出するために考慮すべき干渉信号の候補が複数ある場合）、その複数の干渉信号から、ＣＳＩを算出する際に考慮すべき干渉信号を示す情報（例えば、考慮すべき干渉信号のIndex）である。
【００７５】
基地局装置は、ＰＤＳＣＨに、ＣＳＩ−ＩＭ（CSI-Interference Measurement）リソースの設定に関する情報を含めることができる。基地局装置は、ＣＳＩ−ＩＭリソースの設定に関する情報として、ＣＳＩ−ＩＭリソースの設定の有無を示す情報を含めることができる。基地局装置は、ＣＳＩ−ＩＭリソースの設定に関する情報として、ＣＳＩ−ＩＭを設定するリソースを示す情報を含めることができる。基地局装置は、ＣＳＩ−ＩＭリソースの設定に関する情報として、ＣＳＩ−ＩＭリソースを設定するリソースを示すビットマップを含めることができる。例えば、基地局装置は、ＣＳＩ−ＩＭリソースを設定したリソースを用いて、他セルからの干渉を測定することができる。
【００７６】
基地局装置は、ＰＤＳＣＨに、チャネル状態情報の報告に関する設定であるチャネル状態情報プロセス（CSIプロセス）を含めることができる。前記ＣＳＩプロセスは、少なくともＣＳＩ−ＲＳ（CSI-Reference Signal）とＣＳＩ−ＩＭリソースを関連付けてチャネル状態情報を算出する手順に関する設定を含めることができる。前記ＣＳＩプロセスには、そのＣＳＩプロセスＩＤを含めることができる。
【００７７】
基地局装置は、１つ以上のＣＳＩプロセスを設定することができる。基地局装置は、ＣＳＩのフィードバックを前記ＣＳＩプロセス毎に独立して生成することができる。基地局装置は、ＣＳＩプロセス毎にＣＳＩ-ＲＳとＣＳＩ−ＩＭリソースを異なる設定にするこ
とができる。基地局装置は、１つの端末装置に対し、複数のＣＳＩプロセスを設定することができる。
【００７８】
基地局装置は、前記ＣＳＩプロセスに、端末装置がＣＳＩを算出するために考慮する干渉に関する情報を含めることができる。基地局装置は、ＣＳＩを算出するために考慮する干渉に関する情報を、ＣＳＩプロセス毎に個別に設定することができる。これにより、ＣＳＩプロセス毎に独立に干渉に関する情報を設定することができるため、基地局装置は、端末装置に対するＣＳＩの測定に関して柔軟に設定できる。そのため、基地局装置は、端末装置に対する柔軟なスケジューリングが可能となり、伝送効率が大幅に向上する。
【００７９】
また、基地局装置は端末装置に複数のＣＳＩプロセスを設定する場合でも、基地局装置は１つの干渉に関する情報を端末装置に設定してもよい。すなわち、複数のＣＳＩプロセスに対して、１つの干渉に関する情報の設定が適用される。これにより、１つの干渉に関する情報を送信するための情報量が削減できる。
【００８０】
基地局装置は、ＣＳＩを算出するために考慮する干渉に関する情報を、ＣＳＩサブフレームセット毎に個別に設定することができる。ここで、ＣＳＩサブフレームセットは、どのサブフレームに基づいてＣＳＩを生成するかを示すビットマップ情報である。これにより、基地局装置は、干渉に関する情報を用いて受信処理を行なうことが可能な端末装置に対し、ＣＳＩを算出するために考慮する干渉に関する情報を報告することができる。
【００８１】
また、基地局装置は端末装置に複数のＣＳＩサブフレームセットを設定する場合でも、基地局装置は１つの干渉に関する情報を端末装置に設定してもよい。すなわち、複数のＣＳＩサブフレームセットに対して、１つの干渉に関する情報の設定が適用される。これにより、１つの干渉に関する情報を送信するための情報量が削減できる。
【００８２】
基地局装置は、基地局装置は、ＣＳＩを算出するために考慮する干渉に関する情報を、全てのＣＳＩプロセス、及び／又はＣＳＩサブフレームセット毎に共通に設定することができる。これにより、基地局装置は、干渉に関する情報を用いて受信処理を行なうことが可能な端末装置に対し、ＣＳＩを算出するために考慮する干渉に関する情報を簡易に報告することができる。
【００８３】
また、ＰＤＳＣＨには、基地局装置が端末装置に、下りリンクのユーザデータ（トランスポートブロック:Transport block）を送信するための送信方法（送信モード）を示す情報を含むことができる。前記送信モードは、その通信システムにおいて予め規定される。送信モードは、基地局装置１００−１、１００−２、１００−３からＲＲＣシグナリングを通じて、端末装置２００−１、２００−２、２００−３に設定される。送信モードは、対応するＤＣＩフォーマットを規定する。すなわち、端末装置２００−１、２００−２、２００−３は、基地局１００−１、１００−２、１００−３から設定された送信モードによって、モニタリングする制御チャネルのＤＣＩフォーマットを決定する。
【００８４】
例えば、図１の通信システムにおいて、送信モード１乃至１０が予め規定される。送信モード１はアンテナポート０を用いるシングルアンテナポート送信方式を用いる送信モードである。送信モード２は送信ダイバーシチ方式を用いる送信モードである。送信モード３は、循環遅延ダイバーシチ方式を用いる送信モードである。送信モード４は、閉ループ空間多重方式を用いる送信モードである。送信モード５は、マルチユーザＭＩＭＯ方式を用いる送信モードである。送信モード６は、シングルアンテナポートを用いる閉ループ空間多重方式を用いる送信モードである。送信モード７は、アンテナポート５を用いるシングルアンテナポート送信方式を用いる送信モードである。送信モード８は、アンテナポート７〜８を用いる閉ループ空間多重方式を用いる送信モードである。送信モード９は、アンテナポート７乃至１４を用いる閉ループ空間多重方式を用いる送信モードである。送信モード１０は、アンテナポート７乃至１４を用いる閉ループ空間多重方式を用いる送信モードである。送信モード１０は、複数のＣＳＩ−ＲＳ（詳細は後述）と、それらのＣＳＩ−ＲＳを用いたＣＳＩのフィードバック情報を通知することができる送信モードである。例えば、送信モード１０は、ＣｏＭＰ通信が可能な送信モードとすることができる。
【００８５】
基地局装置は、前記送信モード８、９及び１０を設定する端末装置に端末装置に対して、ＤＭ−ＲＳ（De-Modulation RS）をリソースエレメントに配置することができる。前記送信モード９及び１０を設定する端末装置に端末装置に対して、ＣＳＩ−ＲＳをリソースエレメントに配置することができる。前記送信モード１０を設定する端末装置に端末装置に対して、ＣＳＩ−ＲＳ及びＣＳＩ−ＩＭをリソースエレメントに配置することができる。
【００８６】
基地局装置は、前記全ての送信モードにおいて、端末装置がＣＳＩを算出するために考慮する干渉に関する情報を送信することができる。これにより、基地局装置は、干渉に関する情報を用いて受信処理を行なうことが可能な端末装置に対し、ＣＳＩを算出するために考慮する干渉に関する情報を報告することができる。
【００８７】
基地局装置は、前記送信モード１０において、端末装置がＣＳＩを算出するために考慮する干渉に関する情報を送信することができる。これにより、基地局装置は、干渉に関する情報を用いて受信処理を行なうことが可能な端末装置に対し、ＣＳＩ−ＲＳやＣＳＩ−ＩＭが設定可能な場合に、ＣＳＩを算出するために考慮する干渉に関する情報を報告することができる。
【００８８】
基地局装置は、前記送信モード９及び１０において、端末装置がＣＳＩを算出するために考慮する干渉に関する情報を送信することができる。これにより、基地局装置は、干渉に関する情報を用いて受信処理を行なうことが可能な端末装置に対し、ＣＳＩ−ＲＳが設定可能な場合に、ＣＳＩを算出するために考慮する干渉に関する情報を報告することができる。
【００８９】
基地局装置は、前記送信モード８、９及び１０において、端末装置がＣＳＩを算出するために考慮する干渉に関する情報を送信することができる。これにより、基地局装置は、干渉に関する情報を用いて受信処理を行なうことが可能な端末装置に対し、ＤＭ−ＲＳが設定可能な場合に、ＣＳＩを算出するために考慮する干渉に関する情報を報告することができる。ＤＭ−ＲＳは下りリンクデータ（例えば、PDSCH）と同様にプレコーディングを施されているため、端末装置は、高精度でＣＳＩを算出することができる。
【００９０】
基地局装置は、前記送信モードに加えて、チャネル状態情報を算出するために考慮する干渉に関する情報を送信する送信モード（例えば、送信モード１１）を設定してもよい。基地局装置は、前記送信モード１１か否かによって、チャネル状態情報を算出するために考慮する干渉に関する情報を報告することができる。
【００９１】
なお、基地局装置は、ＣＲＳ（Common Reference Signal）に基づいてＣＳＩを算出する送信モードか、ＣＳＩ−ＲＳに基づいてＣＳＩを算出する送信モードかによって、ＣＳＩを算出するために考慮する干渉に関する情報を報告することができる。
【００９２】
ＰＤＳＣＨは、端末装置が基地局装置にフィードバックするチャネル状態情報報告（CSI feedback report）をマップする上りリンクリソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（Periodic CSI report mode）のために用いることができる。定期的にチャネル状態情報を報告するモード設定では、当該モードが設定されると、そのモードが解放されるまで定期的にチャネル状態情報をフィードバックする。
【００９３】
例えば、チャネル状態情報報告は、不定期にチャネル状態情報（Aperiodic CSI）を報告する上りリンクリソースを示す設定のために用いることができる。チャネル状態情報報告は、不定期的にチャネル状態情報を報告するモードの設定（CSI report mode）のために用いることができる。不定期的にチャネル状態情報を報告するモード設定では、当該モードが設定されると、端末装置は、チャネル状態情報の要求（CSI request）を受ける都度、そのCSI requestに従って、チャネル状態情報をフィードバックする。
【００９４】
基地局装置１００−１、１００−２、１００−３は、前記定期的なチャネル状態情報報告又は前記不定期的なチャネル状態情報報告のいずれかを設定することができる。また、基地局装置１００−１、１００−２、１００−３は、前記定期的なチャネル状態情報報告及び前記不定期的なチャネル状態情報報告の両方を設定することもできる。
【００９５】
基地局装置は、チャネル状態情報報告モード（CSI report mode）において、定期的にチャネル状態情報を報告するモードが設定された場合、端末装置がＣＳＩを算出するために考慮する干渉に関する情報を送信することができる。これにより、基地局装置は、端末装置に対し、ＣＳＩを算出するために考慮する干渉に関する情報を定期的に報告することができる。
【００９６】
基地局装置は、チャネル状態情報報告モード（CSI report mode）において、不定期的にチャネル状態情報を報告するモードが設定された場合、端末装置がＣＳＩを算出するために考慮する干渉に関する情報を送信することができる。これにより、基地局装置は、端末装置に対し、ＣＳＩを算出するために考慮する干渉に関する情報を適応的に報告することができる。
【００９７】
ＰＤＳＣＨは、端末装置が基地局装置にフィードバックするチャネル状態情報報告の種類を送信するために用いることができる。チャネル状態情報報告の種類は、広帯域ＣＳＩ（例えばWideband CQI）と狭帯域ＣＳＩ（例えば、Subband CQI）がある。広帯域ＣＳＩは、セルのシステム帯域に対して１つのチャネル状態情報を算出する。例えば、図２におけるシステム帯域幅に対して１つのチャネル状態情報を算出する。狭帯域ＣＳＩは、システム帯域を所定の単位に区分し、その区分に対して１つのチャネル状態情報を算出する。
【００９８】
図３は、本実施形態における狭帯域ＣＳＩを算出する一例を示す図である。本実施形態における通信システムでは、システム帯域幅は複数のリソースブロックから構成される。リソースブロックは、図２で説明した通り、複数のリソースエレメントで構成される塊である。図３において、システム帯域幅は１０個のリソースブロックから構成する例である。
【００９９】
システム帯域幅は、複数のリソースブロックから構成されるグループ（図３におけるサブバンド。以下サブバンドと呼ぶ。）に区分される。前記サブバンド数は、前記サブバンドサイズ（サブバンドを構成するリソースブロック数）の設定に基づいて算出することができる。前記サブバンドサイズは、システム帯域幅に基づいて設定することができる。３は、サブバンドサイズが２の場合の例である。なお、サブバンドサイズは、全て同じでなくてもよく、異なるサイズのサブバンドがあってもよい。
【０１００】
前記サブバンドサイズは予めそのシステムで設定することができる。前記複数のリソースブロックから構成されるサブバンドは、インデックスを与えることができる。
【０１０１】
図３における狭帯域ＣＳＩの算出の場合、前記複数のリソースブロックから構成されるサブバンド単位でＣＳＩ値が算出される。例えば、前記ＣＳＩ値は、端末装置が所定の受信品質で受信することができるＣＳＩ値とすることができる。前記の所定の受信品質は、所定の誤り率とすることができる。
【０１０２】
前記サブバンドサイズ（リソースブロック数）は、高度な受信機能の適用の有無で異なる設定とすることができる。例えば、同一のシステム帯域幅において、高度な受信機能が適用されている場合の前記サブバンドを構成するサイズを、高度な受信機能の適用をする場合のサイズより小さくすることができる。すなわち、高度な受信機能の適用する場合のサブバンド数を、高度な受信機能の適用をする場合のサブバンド数より同一システム帯域幅におけるサブバンド数を多くすることができる。
【０１０３】
図３において、端末装置は、前記システム帯域幅を構成する全てのサブバンドについて１つのＣＳＩ値を基地局装置に報告することができる。また、端末装置は、前記システム帯域幅を構成するサブバンドうち、好適な所定数のサブバンドを選択し、その選択したサブバンドについて１つのＣＳＩ値を基地局装置に報告することができる。端末装置は、前記選択したサブバンドのインデックスを報告することができる。前記サブバンドのインデックスは、前記ＣＳＩ値と共に報告することができる。図３において、前記狭帯域ＣＳＩの報告モード設定は、基地局装置が端末装置に送信することができる。例えば、前記ＰＤＣＣＨ、ＰＤＳＣＨを用いて送信することができる。前記選択するサブバンド数は、システム帯域幅に基づいて設定することができる。前記報告する好適なサブバンド数は予めそのシステムで設定することができる。
【０１０４】
図３において、狭帯域ＣＳＩと広帯域ＣＳＩの両方のＣＳＩ値を報告することができる。この場合、狭帯域ＣＳＩのＣＳＩ値は、広帯域ＣＳＩのＣＳＩ値の差分で表示することができる。
【０１０５】
図４は、本実施形態における狭帯域ＣＳＩを算出する別の例を示す図である。本実施形態における通信システムでは、システム帯域幅は複数のリソースブロックから構成される。図４において、システム帯域幅が１６個のリソースブロックの構成例である。
【０１０６】
システム帯域幅は、複数のリソースブロックから構成されるグループ（図４におけるサブバンド。以下サブバンドと呼ぶ。）に区分される。前記サブバンド数は、前記サブバンドサイズ（サブバンドを構成するリソースブロック数）の設定に基づいて算出することができる。前記サブバンドサイズは、システム帯域幅に基づいて設定することができる。前記複数のリソースブロックから構成されるサブバンドは、インデックスを与えることができる。
【０１０７】
システム帯域幅は、複数の前記サブバンドから構成されるグループ（図４における帯域幅パート。以下帯域幅パートと呼ぶ。）に区分される。前記帯域幅パート数は、システム帯域幅に基づいて設定することができる。前記帯域幅パートは、インデックスを与えることができる。
【０１０８】
前記サブバンドサイズ、帯域パート数は予めそのシステムで設定することができる。図４はサブバンドサイズ４、帯域幅パート数が２の場合の例である。
【０１０９】
図４における狭帯域ＣＳＩの算出の場合、前記複数のリソースブロックから構成されるサブバンド単位でＣＳＩ値が算出される。例えば、前記ＣＳＩ値は、端末装置が所定の受信品質で受信することができるＣＳＩ値とすることができる。前記の所定の受信品質は、所定の誤り率とすることができる。
【０１１０】
図４において、端末装置は、各帯域幅パートにおいて、その帯域幅パートを構成する複数のサブバンドのうち、好適な所定数のサブバンドを選択し、その選択したサブバンドのための１つのＣＳＩ値を基地局装置に報告することができる。前記好適なサブバンドの所定数は予めそのシステムで設定することができる。例えば、前記好適なサブバンドの所定数が１の場合、図４における帯域幅パートインデックス＃０は、サブバンドインデックス＃０又はサブバンドインデックス＃１のうち好適なＣＳＩ値のサブバンドインデックスを選択し、そのＣＳＩ値を基地局装置に報告する。
【０１１１】
各帯域幅パートにおいて、その帯域幅パートを構成する複数のサブバンドのうち、好適な所定数のサブバンドを選択し、その選択したサブバンドのための１つのＣＳＩ値を基地局装置に報告するモード設定の場合、前記選択したサブバンドのインデックスを報告することができる。前記サブバンドのインデックスは、前記ＣＳＩ値と共にシグナルすることができる。図４において、前記狭帯域ＣＳＩの報告モード設定は、基地局装置が端末装置に送信することができる。例えば、前記ＰＤＣＣＨ、ＰＤＳＣＨを用いて通知することができる。
【０１１２】
図４において、端末装置は、各帯域幅パートのＣＳＩ値または／およびサブバンドインデックスを順に基地局装置に報告することができる。図４において、狭帯域ＣＳＩと広帯域ＣＳＩの両方のＣＳＩ値を報告することができる。この場合、狭帯域ＣＳＩのＣＳＩ値は、広帯域ＣＳＩのＣＳＩ値の差分で表示することができる。
【０１１３】
基地局装置は、チャネル状態情報のフィードバックとして、広帯域ＣＳＩを含む設定がされた場合、端末装置がＣＳＩを算出するために考慮する干渉に関する情報を送信することができる。これにより、システム帯域で統計的な干渉抑圧を行なう場合に、システム帯域で一定の受信品質を保持することができる。
【０１１４】
基地局装置は、チャネル状態情報のフィードバックとして、狭帯域ＣＳＩを含む設定がされた場合、端末装置がＣＳＩを算出するために考慮する干渉に関する情報を送信することができる。これにより、干渉を考慮したＣＳＩ値を伝搬路状態に対して細かく設定することができる。
【０１１５】
また、ＰＤＳＣＨは、前記定期的なチャネル状態情報報告又は前記不定期的なチャネル状態情報報告設定と前記チャネル状態情報報告の種類設定から定められたモード設定を送信することができる。前記モード設定には、例えば、不定期的なチャネル状態情報報告かつ広帯域ＣＳＩを報告するモード、不定期的なチャネル状態情報報告かつ狭帯域ＣＳＩを報告するモード、不定期的なチャネル状態情報報告かつ広帯域ＣＳＩ及び狭帯域ＣＳＩ、定期的なチャネル状態情報報告かつ広帯域ＣＳＩを報告するモード、定期的なチャネル状態情報報告かつ狭帯域ＣＳＩを報告するモード、定期的なチャネル状態情報報告かつ広帯域ＣＳＩ及び狭帯域ＣＳＩを報告するモードなどがある。基地局装置は、チャネル状態情報のフィードバックとして、前記モード設定に基づいて、端末装置がＣＳＩを算出するために考慮する干渉に関する情報を送信する設定をすることができる。
【０１１６】
基地局装置は、ＣＳＩを構成する各要素（RI、PMI、CQIなど）について、異なる設定することができる。基地局装置は、ＣＳＩを構成する各要素（RI、PMI、CQIなど）の一部のみフィードバックする設定をすることができる。例えば、基地局装置は、ＣＱＩのみをフィードバックする設定することができる。
【０１１７】
基地局装置は、チャネル状態情報のフィードバックとして、ＰＭＩ、ＲＩが設定された場合、端末装置がＣＳＩを算出するために考慮する干渉に関する情報を送信することができる。これにより、端末装置は、干渉を考慮してＰＭＩ、ＲＩを算出し、フィードバックすることができる。このため、基地局装置は、伝搬路状況に対して、より高精度に空間多重数を設定することができる。
【０１１８】
ＰＭＣＨは、マルチキャストデータ（MCH:Multicast Channel）を送信するために用いられる。
【０１１９】
図１において、基地局装置１００−１、１００−２、１００−３から端末装置２００−１、２００−２、２００−３への下りリンク信号ｒ１０１、ｒ１０３、ｒ１０５を用いた無線通信は、下りリンク物理信号が用いられる。下りリンク物理信号は、上位層から出力された情報を送信するために使用されないが、物理層によって使用される。下りリンク物理信号は、同期信号（SS:Synchronization signal）、下りリンク参照信号（DL-RS:Downlink -Reference Signal）などを含む。
【０１２０】
同期信号は、端末装置２００−１、２００−２、２００−３が下りリンクの周波数領域および時間領域の同期をとるために用いられる。
【０１２１】
下りリンク参照信号は、端末装置２００−１、２００−２、２００−３が下りリンク物理チャネルの伝搬路補正を行なうために用いられる。また、下りリンク参照信号は、端末装置２００−１、２００−２、２００−３が下りリンクのチャネル状態情報を算出するために用いられてもよい。例えば、下りリンク参照信号のタイプは、ＣＲＳ（Cell-specific Reference Signal）、ＰＤＳＣＨに関連するＵＲＳ（UE-specific Reference Signal）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）、ＭＢＳＦＮ  ＲＳ（Multimedia Broadcast and Multicast Service over Single Frequency Network Reference signal）、ＰＲＳ（Positioning Reference Signal）などがある。
【０１２２】
ＣＲＳは、サブフレームの全帯域で送信される。ＣＲＳは、ＰＢＣＨ、ＰＤＣＣＨ、ＰＨＩＣＨ、ＰＣＦＩＣＨ、ＰＤＳＣＨなどの復調を行なうために用いられる。ＣＲＳは、端末装置２００−１、２００−２、２００−３が下りリンクのチャネル状態情報を算出するために用いられてもよい。ＰＢＣＨ、ＰＤＣＣＨ、ＰＨＩＣＨ、ＰＣＦＩＣＨは、ＣＲＳの送信に用いられるアンテナポートで送信される。
【０１２３】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【０１２４】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。例えば、ＣＲＳは、アンテナポートｉ（ｉ＝０、１、２、３）の１つ、または、いくつかで（on one or several of antenna ports 0 to 3）送信される。
【０１２５】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【０１２６】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、端末装置２００−１、２００−２が下りリンクのチャネル状態情報を算出するために用いられる。端末装置２００−１、２００−２は、ＮＺＰ  ＣＳＩ−ＲＳを用いて信号測定（チャネル測定）を行なう。
【０１２７】
ＺＰ  ＣＳＩ−ＲＳのリソースは、基地局装置１００−１、１００−２、１００−３が設定する。基地局装置は、ＺＰ  ＣＳＩ−ＲＳをゼロ出力で送信する。つまり、基地局装置１００−１、１００−２、１００−３は、ＺＰ  ＣＳＩ−ＲＳの設定したリソースにおいて、ＺＰ  ＣＳＩ−ＲＳを送信しない。基地局装置１００−１、１００−２、１００−３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置は、干渉を測定することができる。
【０１２８】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信に用いられるアンテナポートで送信される。
【０１２９】
ＰＲＳは、端末装置が、自装置の地理的な位置を測定するために用いられる。
【０１３０】
端末装置２００−１、２００−２、２００−３から基地局装置１００−１、１００−２、１００−３への上りリンク信号ｒ１０１、ｒ１０３、ｒ１０５を用いた無線通信は、上りリンク物理チャネルが用いられる。上りリンク物理チャネルは、上位層から出力された情報を送信するために使用できる。上りリンク物理チャネルは、ＰＵＣＣＨ（Physical Uplink Control Channel）、ＰＵＳＣＨ（Physical Uplink Shared Channel）、ＰＲＡＣＨ（Physical Random Access Channel）などを含む。
【０１３１】
ＰＵＣＣＨは、上りリンク制御情報（UCI:Uplink Control Information）を送信するために用いられる。上りリンク制御情報は、下りリンクのチャネル状態情報（CSI:Channel State Information）、ＰＵＳＣＨリソースの要求を示すスケジューリング要求（SR:Scheduling Request）を含む。前記チャネル状態情報は、好適な空間多重数を指定するランク指標ＲＩ、好適なプレコーダを指定するプレコーディング行列指標ＰＭＩ、好適な伝送レートを指定するチャネル品質指標ＣＱＩなどが該当する。
【０１３２】
前記チャネル品質指標ＣＱＩは（以下、CQI値）、所定の帯域における好適な変調方式（例えば、QPSK、16QAM、64QAM、256QAMなど）、符号化率（code rate）とすることができる。ＣＱＩ値は、前記変更方式や符号化率により定められたインデックス（CQI Index）とすることができる。前記ＣＱＩ値は、予め当該システムで定めたものをすることができる。
【０１３３】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【０１３４】
また、上りリンク制御情報は、下りリンクデータ（Downlink Transport block,DL-SCH:Downlink-Shared Channel）に対するＡＣＫ（acknowledgement）／ＮＡＣＫ（negative-acknowledgement）を含む。ここで、ＡＣＫ／ＮＡＣＫを、ＨＡＲＱ−ＡＣＫ、ＨＡＲＱフィードバック、または、応答情報とも称する。また、ＰＵＣＣＨは、端末装置が前記高度な受信機能に関する情報を送信するために用いられてもよい。また、ＰＵＣＣＨは、端末装置が前記高度な受信機能を具備することを示す情報（UE Capability）を送信するために用いられてもよい。
【０１３５】
ＰＵＳＣＨは、上りリンクデータ（Upink Transport block, Uplink-Shared  Channel:UL-SCH）を送信するために用いられる。すなわち、ＵＬ−ＳＣＨでの上りリンクデータの送信は、ＰＵＳＣＨを経由して行なわれる。すなわち、トランスポートチャネルであるＵＬ−ＳＣＨは、物理チャネルであるＰＵＳＣＨにマップされる。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。
【０１３６】
また、ＰＵＳＣＨは、ＲＲＣメッセージを送信するために用いられる。ＲＲＣメッセージは、無線リソース制御（Radio Resource Control:RRC）層において処理される情報／信号である。ＲＲＣメッセージは、端末装置が前記高度な受信機能に関する情報を送信するために用いられてもよい。ＲＲＣメッセージは、端末装置が前記高度な受信機能を具備することを示す情報を送信するために用いられてもよい。また、ＰＵＳＣＨは、ＭＡＣ  ＣＥ（Control Element）を送信するために用いられる。ここで、ＭＡＣ  ＣＥは、媒体アクセス制御（MAC:Medium Access Control）層において処理（送信）される情報／信号である。ＭＡＣ  ＣＥは、端末装置が前記高度な受信機能に関する情報を送信するために用いられてもよい。ＭＡＣ  ＣＥは、端末装置が前記高度な受信機能を具備することを示す情報を送信するために用いられてもよい。
【０１３７】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられる。
【０１３８】
端末装置２００−１、２００−２、２００−３から基地局装置１００−１、１００−２、１００−３への上りリンク信号ｒ１０１、ｒ１０３、ｒ１０５を用いた無線通信は、上りリンク物理信号が用いられる。上りリンク物理信号は、上位層から出力された情報を送信するために使用されないが、物理層によって使用される。上りリンク物理信号は、上りリンク参照信号（Uplink Reference Signal:UL RS）がふくまれる。上りリンク参照信号は、ＤＭＲＳ（Demodulation Reference Signal）、ＳＲＳ（Sounding Reference Signal）が含まれる。  
【０１３９】
ＤＭＲＳは、ＰＵＳＣＨまたはＰＵＣＣＨの送信に関連する。ＤＭＲＳは、ＰＵＳＣＨまたはＰＵＣＣＨと時間多重される。例えば、基地局装置１００−１、１００−２、１００−３は、ＰＵＳＣＨまたはＰＵＣＣＨの伝搬路補正を行なうためにＤＭＲＳを使用する。
【０１４０】
ＳＲＳは、ＰＵＳＣＨまたはＰＵＣＣＨの送信に関連しない。基地局装置２００−１、２００−２、２００−３は、上りリンクのチャネル状態を測定するためにＳＲＳを使用する。端末装置２００−１、２００−２、２００−３は、上位層によって設定された第１のリソースにおいて第１のＳＲＳを送信する。さらに、端末装置２００−１、２００−２、２００−３は、ＰＤＣＣＨを介してＳＲＳの送信を要求することを示す情報を受信した場合に、上位層によって設定された第２のリソースにおいて第２のＳＲＳを１回のみ送信する。ここで、第１のＳＲＳを、ピリオディックＳＲＳまたはタイプ０トリガードＳＲＳとも称する。また、第２のＳＲＳを、アピリオディックＳＲＳまたはタイプ１トリガードＳＲＳとも称する。
【０１４１】
なお、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【０１４２】
ＢＣＨ、ＭＣＨ、ＵＬ−ＳＣＨおよびＤＬ−ＳＣＨは、トランスポートチャネルである。媒体アクセス制御（Medium Access Control:MAC）層で用いられるチャネルをトランスポートチャネルと称する。ＭＡＣ層で用いられるトランスポートチャネルの単位を、トランスポートブロック（transport block:TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【０１４３】
図５は、本実施形態における下りリンクサブフレームにおける物理チャネルおよび物理信号の配置の一例を示す図である。図５において、横軸は時間軸を、縦軸は周波数軸を示している。基地局装置１００−１、１００−２、１００−３は、下りリンクサブフレームにおいて、下りリンク物理チャネル（PBCH、PCFICH、PHICH、PDCCH、EPDCCH、PDSCH）及び下りリンク物理信号（同期信号、下りリンク参照信号）を送信してもよい。ここで、説明の簡略化のため、図３において下りリンク参照信号は図示しない。
【０１４４】
ＰＤＣＣＨの領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨの領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【０１４５】
図６は、本実施形態における上りリンクサブフレームにおける物理チャネルおよび物理信号の配置の一例を示す図である。図４において、横軸は時間軸を、縦軸は周波数軸を示している。端末装置２００−１、２００−２、２００−３は、上りリンクサブフレームにおいて、上りリンク物理チャネル（PUCCH、PUSCH、PRACH）及び上りリンク物理信号（DMRS、SRS）を送信してもよい。
【０１４６】
ＰＵＣＣＨの領域において、複数のＰＵＣＣＨが周波数、時間、および符合多重されてもよい。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【０１４７】
ＳＲＳは、上りリンクサブフレーム内の最後のＳＣ−ＦＤＭＡシンボルを用いて送信されてもよい。端末装置２００−１、２００−２、２００−３は、単一のセルの単一の上りリンクサブフレームにおいて、該上りリンクサブフレーム内の最後のＳＣ−ＦＤＭＡシンボルを除くＳＣ−ＦＤＭＡシンボルを用いて、ＰＵＳＣＨおよび／またはＰＵＣＣＨでの送信を行ない、該上りリンクサブフレーム内の最後のＳＣ−ＦＤＭＡシンボルを用いてＳＲＳの送信を行なうことができる。
【０１４８】
すなわち、単一のセルの単一の上りリンクサブフレームにおいて、端末装置２００−１、２００−２、２００−３は、ＳＲＳの送信と、ＰＵＳＣＨ又は／及びＰＵＣＣＨでの送信と、の両方を行なうことができる。ＤＭＲＳはＰＵＣＣＨまたはＰＵＳＣＨと時間多重されてもよい。説明の簡略化のため、図６においてＤＭＲＳは図示しない。
【０１４９】
図７は、本実施形態におけるチャネル状態情報を不定期に報告する場合のシーケンスを示す図である。図７における端末装置は、接続した基地局装置に対して、自端末装置のケーパビリティ（UE capability）を報告する（Ｓ１０１）。端末装置は、前記のケーパビリティにより、設定可能な送信モードを示す情報を基地局装置に送信することができる。基地局装置は、前記設定可能な送信モードを示す情報により、その端末装置に対して干渉情報を設定可能することができるか否かを判断することができる。
【０１５０】
端末装置は、前記のケーパビリティにより、ＣＳＩ-ＲＳを用いることができることを示す情報を基地局装置に送信することができる。端末装置は、前記のケーパビリティにより、高度な受信機能を備えていることを基地局装置に送信することができる。なお、前記端末装置は、セル固有の下りリンクの参照信号（CRSなど）を受信することができる。
【０１５１】
図７において、基地局装置は、無線リソース制御メッセージ（RRCメッセージ）を送信することができる（Ｓ１０２）。基地局装置は、ＲＲＣメッセージに、送信モード設定を示す情報を含めることができる。端末装置は、前記送信モード設定を示す情報により、ＲＲＣメッセージにＣＳＩを算出するために考慮する干渉に関する情報が含まれていることを認識することができる。
【０１５２】
図７において、基地局装置は、ＲＲＣメッセージに、端末装置にチャネル状態情報報告設定を含めることができる（Ｓ１０２）。前記基地局装置は、前記チャネル状態情報報告設定により、広帯域ＣＳＩ報告をフィードバックするモード設定、狭帯域ＣＳＩ報告をフィードバックするモード設定を前記端末装置に送信する。前記基地局装置は、狭帯域ＣＳＩ報告におけるモード設定（全てのサブバンドに対するCSI値を送信するモード設定や好適な所定数のサブバンドに対するCSIを送信するモード設定）を送信することができる。端末装置は、前記チャネル状態情報報告設定により、ＲＲＣメッセージにＣＳＩを算出するために考慮する干渉に関する情報が含まれていることを認識することができる。
【０１５３】
基地局装置は、前記チャネル状態情報報告設定により、前記定期的なチャネル状態情報報告又は前記不定期的なチャネル状態情報報告設定をすることができる（Ｓ１０２）。端末装置は、前記定期的なチャネル状態情報報告又は前記不定期的なチャネル状態情報報告設定により、ＲＲＣメッセージにＣＳＩを算出するために考慮する干渉に関する情報が含まれていることを認識することができる。
【０１５４】
基地局装置は、前記チャネル状態情報報告設定により、前記定期的なチャネル状態情報報告又は前記不定期的なチャネル状態情報報告設定と前記チャネル状態情報報告の種類の設定を含めたモード設定とすることができる（Ｓ１０２）。前記モード設定には、例えば、不定期的なチャネル状態情報報告かつ広帯域ＣＳＩを報告するモード、不定期的なチャネル状態情報報告かつ狭帯域ＣＳＩを報告するモード、不定期的なチャネル状態情報報告かつ広帯域ＣＳＩ及び狭帯域ＣＳＩ、定期的なチャネル状態情報報告かつ広帯域ＣＳＩを報告するモード、定期的なチャネル状態情報報告かつ狭帯域ＣＳＩを報告するモード、定期的なチャネル状態情報報告かつ広帯域ＣＳＩ及び狭帯域ＣＳＩを報告するモードなどがある。端末装置は、前記定期的なチャネル状態情報報告又は前記不定期的なチャネル状態情報報告設定と前記チャネル状態情報報告の種類の設定を含めたモード設定により、ＲＲＣメッセージにＣＳＩを算出するために考慮する干渉に関する情報が含まれていることを認識することができる。
【０１５５】
なお、前記チャネル状態情報報告設定は、前記定期的なチャネル状態情報報告又は前記不定期的なチャネル状態情報報告設定と、前記チャネル状態情報報告の種類の設定を異なる物理チャネルに割り当てることができる。例えば、前記定期的なチャネル状態情報報告又は前記不定期的なチャネル状態情報報告はＰＤＳＣＨで送信することもできる。前記チャネル状態情報報告の種類の設定はＰＤＣＣＨで送信することもできる。
【０１５６】
基地局装置は、ＲＲＣメッセージに、ＣＳＩプロセスを含めることができる（Ｓ１０２）。端末装置は、前記ＣＳＩプロセスに含まれるＣＳＩを算出するために考慮する干渉に関する情報を認識することができる。端末装置は、前記送信モード設定により、ＣＳＩを算出するために考慮する干渉に関する情報が含まれていることを認識した場合、前記ＣＳＩプロセスに含まれるＣＳＩを算出するために考慮する干渉に関する情報をモニタすることができる。
【０１５７】
端末装置は、前記チャネル状態情報報告設定により、ＣＳＩを算出するために考慮する干渉に関する情報が含まれていることを認識した場合、前記ＣＳＩプロセスに含まれるＣＳＩを算出するために考慮する干渉に関する情報をモニタすることができる。
【０１５８】
前記基地局装置は、前記チャネル状態情報報告設定の送信により、不定期的なチャネル状態情報報告のモード設定または／および定期的なチャネル状態情報報告のモード設定を前記端末装置に送信する。以下、不定期的なチャネル状態情報報告のモード設定の場合について、説明する。
【０１５９】
前記基地局装置は、チャネル状態情報要求（CSI request）を端末装置に送信する（Ｓ１０３）。例えば、前記チャネル状態情報要求は、ＰＤＣＣＨで送信することができる。前記チャネル状態情報要求には、広帯域ＣＳＩのモード設定又は狭帯域ＣＳＩのモード設定を含めることができる。
【０１６０】
端末装置は、チャネル状態情報要求を受信した場合、チャネル状態報告（CSI）の算出を行なう（Ｓ１０４）。端末装置は、ＲＲＣメッセージにより、ＣＳＩを算出するために考慮する干渉に関する情報を取得した場合、前記ＣＳＩを算出するために考慮する干渉に関する情報を用いてＣＳＩの算出をすることができる。端末装置は、ＣＳＩ算出の際、セル固有の下りリンクの参照信号（CRSなど）を用いることができる。端末装置は、ＣＳＩ算出の際、端末装置固有の下りリンクの参照信号（CSI-RSなど）を用いることができる。
【０１６１】
前記端末装置は、前記チャネル状態情報要求を受けた後、所定のサブフレームによりチャネル状態情報（CSI）の報告を基地局装置にフィードバックする（Ｓ１０５）。例えば、前記端末装置は、送信された前記ＰＤＣＣＨに含まれるＰＵＳＣＨのリソース割当に従って、前記チャネル状態情報報告のフィードバックを行なう。また、前記端末装置は、前記ＰＤＣＣＨの受信タイミングを基準に定められたリソース割当てに従って、前記チャネル状態情報報告のフィードバックを行なうことができる。端末装置は、前記チャネル状態情報報告として、前記チャネル状態情報報告設定に従ったＣＳＩ値をフィードバックバックする。
【０１６２】
図７において、前記端末装置は、基地局装置から下りリンクチャネル状態情報の要求がある度に、その都度、前記チャネル状態情報を基地局装置に報告する（Ｓ１０６、Ｓ１０７）。
【０１６３】
前記基地局装置は、前記端末装置に対して、下りリンク制御情報を送信する（Ｓ１０８）。前記基地局装置は、端末装置からフィードバックされた前記チャネル状態情報報告を用いて変調方式、ＣＳＩ、空間多重数などの下りリンク制御情報を設定することができる。
【０１６４】
図８及び図９により、本実施形態における基地局装置１００−１がＣＳＩを算出するために考慮する干渉に関する情報を用いてＣＳＩの算出をする例を説明する。図８は、本実施形態に係る基地局装置１００−１の下りリンク物理リソースブロックにおける物理チャネルおよび物理信号の配置の一例を示す図である。図８において、横軸は時間、縦軸は周波数を示している。図８は、１つの物理リソースブロックを表している。図８において、Ａｘ、Ａｙ、Ｂｘ、Ｂｙ、Ｃｘ、Ｃｙ、Ｄｘ、Ｄｙは、ＣＳＩ−ＲＳを割当てることが可能なリソースエレメントを示している。網掛け部分は、基地局装置１００−１が端末装置２００−１にＮＺＰ  ＣＳＩ−ＲＳを割り当てたリソースエレメントを示している。右上がり斜線部は、基地局装置１００−１が端末装置２００−１にＺＰ  ＣＳＩ−ＲＳを割り当てたリソースエレメントを示している。白抜き部分はＰＤＳＣＨ，ＰＵＳＣＨ、ＣＲＳなどのＣＳＩ０−ＲＳ以外を配置することができるリソースエレメントを示している。
【０１６５】
図９は、本実施形態に係る基地局装置１００−２の下りリンク物理リソースブロックにおける物理チャネルおよび物理信号の配置の一例を示す図である。図９において、横軸は時間、縦軸は周波数を示している。図９は、１つの物理リソースブロックを表している。図９において、Ａｘ、Ａｙ、Ｂｘ、Ｂｙ、Ｃｘ、Ｃｙ、Ｄｘ、Ｄｙは、ＣＳＩ−ＲＳを割当てることが可能なリソースエレメントを示している。網掛け部分は、基地局装置１００−１が端末装置２００−１にＮＺＰ  ＣＳＩ−ＲＳを割り当てたリソースエレメントを示している。右上がり斜線部は、基地局装置１００−１が端末装置２００−１にＺＰ  ＣＳＩ−ＲＳを割り当てたリソースエレメントを示している。白抜き部分はＰＤＳＣＨ，ＰＵＳＣＨ、ＣＲＳなどのＣＳＩ０−ＲＳ以外を配置することができるリソースエレメントを示している。
【０１６６】
端末装置２００−１は、基地局装置１００−１から受信したＣＳＩプロセス０に含まれるＣＳＩ−ＲＳの設定に関する情報により、リソースブロックＡｘ、Ａｙ、Ｄｘ及びＤｙにＮＺＰ  ＣＳI−ＲＳが割り当てられ、リソースブロックＢｘ及びＢｙにＺＰ  ＣＳI−ＲＳが割り当てられることを認識し、当該リソースをモニタする。
【０１６７】
端末装置２００−１は、基地局装置１００−１から受信したＣＳＩプロセス０に含まれるＣＳＩ−ＩＭの設定に関する情報により、リソースブロックＢｘ及びＢｙをＣＳＩ−ＩＭに用いることを認識する。また、端末装置２００−１は、基地局装置１００−１から受信したＣＳＩプロセス０に含まれるＣＳＩを算出するために考慮する干渉に関する情報により、他セル干渉となる基地局装置１００−２を特定する。例えば、ＣＳＩを算出するために考慮する干渉に関する情報により、他セル干渉の送信電力、アンテナ数、アンテナポート番号を特定する。また、ＣＳＩを算出するために考慮する干渉に関する情報により、他セル干渉のリソース割当てを特定できるようにしてもよい。例えば、端末装置２００−１は、図９に示した基地局装置１００−２の少なくともＣＳＩ−ＲＳの割当てを特定する。
【０１６８】
端末装置２００−１は、ＺＰ  ＣＳＩ−ＲＳを割り当てたリソースエレメントＢｘ及びＢｙにおいて、基地局装置１００−２から送信されたＮＺＰ  ＣＳＩ−ＲＳの信号を取得することで、基地局装置１００−２からの干渉を測定することができる。端末装置２００−１は、ＮＺＰ  ＣＳＩ−ＲＳを割り当てたリソースエレメントＡｘ及びＡｙの信号を取得することで、端末装置２００−１と基地局装置１００−１との間の伝搬路（チャネル）を測定することができる。そして、端末装置２００−１は、前記基地局装置１００−２からの干渉と前記端末装置２００−１と基地局装置１００−１との間の伝搬路（チャネル）を用いて、ＣＳＩを算出する。端末装置２００−１は、自端末装置の受信能力（例えば、キャンセラなどの高度な受信機能を備えている場合は、特定した干渉その受信機能）を考慮して、前記ＣＳＩを算出することができる。
【０１６９】
端末装置２００−１は、ＮＺＰ  ＣＳＩ−ＲＳを割り当てたリソースエレメントＤｘ及びＤｙの信号を取得する。基地局装置１００−２において、リソースエレメントＤｘ及びＤｙは、ＺＰ  ＣＳＩ−ＲＳが割り当てたられたリソースである。このため、端末装置２００−１は、リソースエレメントＤｘ及びＤｙに割当てられたＮＺＰ  ＣＳＩ−ＲＳにより、干渉がない状態における端末装置２００−１と基地局装置１００−１との間の伝搬路（チャネル）を測定することができる。例えば、端末装置２００−１がキャンセラなどの高度な受信機能を備えている場合、干渉を完全に除去できた場合のＣＳＩを算出することができる。
【０１７０】
基地局装置１００−１は、端末装置２００−１に対して、前記ＣＳＩプロセス０と異なるＣＳＩプロセス１を更に設定することができる。例えば、ＣＳＩプロセス０は、基地局装置１００−２からの干渉を測定するための設定であり、ＣＳＩプロセル２は、基地局装置１００−３からの干渉を測定するための設定とすることができる。端末装置２００−１は、前記ＣＳＩプロセス２を前記ＣＳＩプロセル１と上述と同様に用いることで干渉を考慮したＣＳＩを算出することが可能となる。なお、前記ＣＳＩプロセス１に含まれるＣＳＩを算出するために考慮する干渉に関する情報は、前記ＣＳＩプロセル２に含まれるＣＳＩを算出するために考慮する干渉に関する情報と異なる設定とすることができる。
【０１７１】
端末装置２００−２は、基地局装置１００−２から受信したＣＳＩプロセス２に含まれるＣＳＩ−ＲＳの設定に関する情報により、リソースブロックＢｘ、Ｂｙ、Ｃｘ及びＣｙにＮＺＰ  ＣＳI−ＲＳが割り当てられ、リソースブロックＤｘ及びＤｙにＺＰ  ＣＳI−ＲＳが割り当てられることを認識し、当該リソースをモニタする。
【０１７２】
端末装置２００−２は、基地局装置１００−２から受信したＣＳＩプロセス２に含まれるＣＳＩ−ＩＭの設定に関する情報により、リソースブロックＤｘ及びＤｙをＣＳＩ−ＩＭに用いることを認識する。また、端末装置２００−２は、基地局装置１００−２から受信したＣＳＩプロセス２に含まれるＣＳＩを算出するために考慮する干渉に関する情報により、他セル干渉となる基地局装置１００−１を特定する。
【０１７３】
端末装置２００−２は、ＺＰ  ＣＳＩ−ＲＳを割り当てたリソースエレメントＤｘ及びＤｙにおいて、基地局装置１００−２から送信されたＮＺＰ  ＣＳＩ−ＲＳの信号を取得することで、基地局装置１００−１からの干渉を測定することができる。端末装置２００−２は、ＮＺＰ  ＣＳＩ−ＲＳを割り当てたリソースエレメントＣｘ及びＣｙの信号を取得することで、端末装置２００−２と基地局装置１００−２との間の伝搬路（チャネル）を測定することができる。そして、端末装置２００−２は、前記基地局装置１００−１からの干渉と前記端末装置２００−２と基地局装置１００−２との間の伝搬路（チャネル）を用いて、ＣＳＩを算出する。端末装置２００−２は、自端末装置の受信能力（例えば、キャンセラなどの高度な受信機能を備えている場合は、特定した干渉その受信機能）を考慮して、前記ＣＳＩを算出することができる。
【０１７４】
以上のように、ＣＳＩプロセスにＣＳＩを算出するために考慮する干渉に関する情報を含めることで、端末装置は、ＣＳＩプロセル毎に干渉を考慮したＣＳＩの算出し、そのＣＳＩを基地局装置にフィードバックすることができる。
【０１７５】
図１０は、本実施形態における基地局装置の構成を示す概略ブロック図である。本実施形態における基地局装置１００−１、１００−２、１００−３は、他セル干渉を考慮したＣＳＩを端末装置に要求するために相互に連携することができる。以下では、代表して、基地局装置１００−１で説明する。図１０に示すように、基地局装置１００−１は、上位層処理部１０１、制御部１０２、送信部１０３、受信部１０４と送受信アンテナ１０５を含んで構成される。
【０１７６】
上位層処理部１０１は、無線リソース制御部１０１１、スケジューリング部１０１２および送信制御部１０１３を含んで構成される。送信部１０３は、符号化部１０３１、変調部１０３２、下りリンク参照信号生成部１０３３、多重部１０３４、無線送信部１０３５を含んで構成される。受信部１０４は、無線受信部１０４１、多重分離部１０４２、復調部１０４３、復号部１０４４、チャネル測定部１０４５を含んで構成される。
【０１７７】
上位層処理部１０１は、媒体アクセス制御（Medium Access Control:MAC）層、パケットデータ統合プロトコル（Packet Data Convergence Protocol:PDCP）層、無線リンク制御（Radio Link Control:RLC）層、無線リソース制御（Radio Resource Control:RRC）層などの処理を行なう。また、上位層処理部１０１は、送信部１０３および受信部１０４の制御を行なうために必要な情報を生成し、制御部１０２に出力する。
【０１７８】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成し、又は上位ノードから取得する。無線リソース制御部１０１１は、これらを送信部１０３に出力し、他の情報を制御部１０２に出力する。
【０１７９】
無線リソース制御部１０１１は、自基地局装置に接続している端末装置（図１では、端末装置１００−１）の各々の各種設定情報／パラメータの管理をする。無線リソース制御部１０１１は、上位層の信号を介して前記端末装置に対して各種設定情報／パラメータをセットしてもよい。すなわち、無線リソース制御部１０１１は、各種設定情報／パラメータを示す情報を送信／報知する。
【０１８０】
前記無線リソース制御部１０１１は、端末装置２００−１が設定可能な送信モードを示す情報を受信部１０４から取得することができる。前記無線リソース制御部１０１１は、端末装置２００−１がＣＳＩ-ＲＳを用いることができることを示す情報を受信部１０４から取得することができる。前記無線リソース制御部１０１１は、高度な受信機能を具備することを示す情報を受信部１０４から取得することができる。前記無線リソース制御部１０１１は、チャネル状態情報報告に関する情報を受信部１０４から取得することができる。
【０１８１】
前記無線リソース制御部１０１１は、送信モード設定を示す情報を生成し、送信部１０３に出力することができる。前記無線リソース制御部１０１１は、チャネル状態情報報告設定を生成し、送信部１０３に出力することができる。前記無線リソース制御部１０１１は、ＣＳＩプロセスを生成し、送信部１０３に出力することができる。前記無線リソース制御部１０１１は、ＣＳＩを算出するために考慮する干渉に関する情報が含む設定を認識した場合、前記ＣＳＩプロセスにＣＳＩを算出するために考慮する干渉に関する情報を含めることができる。前記無線リソース制御部１０１１は、高度な受信機能の適用に関する情報を生成し、送信部１０３に出力することができる。前記無線リソース制御部１０１１は、チャネル状態情報要求を生成し、送信部１０３に出力することができる。
【０１８２】
スケジューリング部１０１２は、受信したチャネル状態情報（CSI）およびチャネル測定部１０４５から入力された伝搬路の推定値やチャネルの品質などから、物理チャネル（PDSCHおよびPUSCH）を割り当てる周波数およびサブフレーム、物理チャネル（PDSCHおよびPUSCH）の符号化率および変調方式（あるいはMCS）および送信電力などを決定する。スケジューリング部１０１２は、スケジューリング結果に基づき、受信部１０４および送信部１０３の制御を行なうために制御情報を生成する。スケジューリング部１０１２は、生成した情報を制御部１０２に出力する。スケジューリング部１０１２は、送信処理および受信処理を行なうタイミングを決定する。
【０１８３】
送信制御部１０１３は、送信部１０３に対して、下りリンク制御情報に付加されたＣＲＣパリティビットのスクランブルに用いられたＲＮＴＩに基づいてＰＤＳＣＨをリソースエレメントにマップし、該ＰＤＳＣＨでの送信を行なうよう制御する。ここで、送信制御部１０１３の機能は、送信部３０７に含まれてもよい。
【０１８４】
基地局装置１００−１の上位層処理部１０１は、干渉源となる基地局装置１００−２の上位層処理部１０１から、ＣＳＩを算出するために考慮する干渉に関する情報を取得することができる。例えば、基地局装置１００−１は、Ｘ２インターフェース、インターネット回線を通じて、取得することができる。
【０１８５】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。制御部１０２は、端末装置２００−１がＣＳＩ−ＲＳ（CSI）を割当てることができる場合、前記ＣＳＩ−ＲＳ（NZP CSI-RS、ZP CSI-RS）の系列や割当てに関する情報を下りリンク参照信号生成部に出力する。
【０１８６】
前記制御部１０２は、高度な受信機能を具備することを示す情報を受信部１０４から取得することができる。前記無線リソース制御部１０１１は、チャネル状態情報報告に関する情報を受信部１０４から取得することができる。前記制御部１０２は、取得した前記情報を上位層処理部１０１に入力することができる。
【０１８７】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２００−１に信号を送信する。
【０１８８】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう。前記符号化部１０３１は、無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【０１８９】
下りリンク参照信号生成部１０３３は、基地局装置１００−１を識別するための物理セル識別子（PCI）などを基に予め定められた規則で求まる、端末装置２が既知の系列を下りリンク参照信号として生成する。下りリンク参照信号生成部１０３３は、制御部１０２から入力された前記ＣＳＩ−ＲＳ（NZP CSI-RS、ZP CSI-RS）の系列や割当てに関する情報を基に下りリンク参照信号を割当てる。
【０１９０】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【０１９１】
無線送信部１０３５は、多重された変調シンボルなどを逆高速フーリエ変換（Inverse Fast Fourier Transform:IFFT）してＯＦＤＭシンボルを生成し、ＯＦＤＭシンボルにサイクリックプレフィックス（cyclic prefix:CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１９２】
受信部１０４は、制御部１０２から入力された制御信号に従って、送受信アンテナ１０５を介して端末装置２００−１から受信した受信信号を分離、復調、復号し、復号した情報を上位層処理部１０１に出力する。
【０１９３】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１９４】
無線受信部１０４１は、変換したディジタル信号からＣＰに相当する部分を除去する。無線受信部１０４１は、ＣＰを除去した信号に対して高速フーリエ変換（Fast Fourier Transform:FFT）を行ない、周波数領域の信号を抽出し多重分離部１０４２に出力する。
【０１９５】
多重分離部１０４２は、無線受信部１０４１から入力された信号をＰＵＣＣＨ、ＰＵＳＣＨ、上りリンク参照信号などの信号に分離する。なお、この分離は、予め基地局装置１００−１が無線リソース制御部１０１１で決定し、端末装置２００−１に通知した上りリンクグラントに含まれる無線リソースの割り当て情報に基づいて行なわれる。また、多重分離部３０５５は、チャネル測定部１０４５から入力された伝搬路の推定値から、ＰＵＣＣＨとＰＵＳＣＨの伝搬路の補償を行なう。また、多重分離部１０４２は、分離した上りリンク参照信号をチャネル測定部１０４５に出力する。
【０１９６】
復調部１０４３は、ＰＵＳＣＨを逆離散フーリエ変換（Inverse Discrete Fourier Transform:IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１９７】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１９８】
図１１は、本実施形態における端末装置の構成を示す概略ブロック図である。本実施形態における基地局装置２００−１、２００−２、２００−３は、高度な受信機能を備えることができる。以下では、代表して、端末装置２００−１で説明する。
【０１９９】
図１１に示すように、端末装置２００−１は、上位層処理部２０１、制御部２０２、送信部２０３、受信部２０４と送受信アンテナ２０５を含んで構成される。上位層処理部２０１は、無線リソース制御部２０１１、スケジューリング情報解釈部２０１２、および、受信制御部２０１３を含んで構成される。
【０２００】
送信部２０３は、符号化部２０３１、変調部２０３２、上りリンク参照信号生成部２０３３、多重部２０３４、無線送信部２０３５を含んで構成される。受信部２０４は、無線受信部２０４１、多重分離部２０４２、信号検出部２０４３、チャネル測定部２０４４を含んで構成される。
【０２０１】
上位層処理部２０１は、ユーザの操作等によって生成された上りリンクデータ（トランスポートブロック）を、送信部２０３に出力する。また、上位層処理部２０１は、媒体アクセス制御（Medium Access Control:MAC）層、パケットデータ統合プロトコル（Packet Data Convergence Protocol:PDCP）層、無線リンク制御（Radio Link Control:RLC）層、無線リソース制御（Radio Resource Control:RRC）層の処理を行なう。
【０２０２】
無線リソース制御部２０１１は、自端末装置の自装置の各種設定情報／パラメータの管理をする。無線リソース制御部２０１１は、基地局装置１００−１から受信した上位層の信号（例えば、RRC Signaling、MAC CE）に基づいて各種設定情報／パラメータをセットする。無線リソース制御部２０１１は、上りリンクの各チャネルに配置される情報を生成し、送信部２０３に出力する。
【０２０３】
無線リソース制御部２０１１は、送信モード設定を示す情報を受信部２０４から取得することができる。無線リソース制御部２０１１は、チャネル状態情報報告設定を受信部２０４から取得することができる。無線リソース制御部２０１１は、ＣＳＩプロセスを受信部２０４から取得することができる。無線リソース制御部２０１１は、ＣＳＩを算出するために考慮する干渉に関する情報が含まれていることを認識した場合、前記ＣＳＩプロセスに含まれるＣＳＩを算出するために考慮する干渉に関する情報をＣＳＩプロセスから抽出することができる。
【０２０４】
無線リソース制御部２０１１は、チャネル状態情報報告設定を受信部２０４から取得することができる。無線リソース制御部２０１１は、チャネル状態情報要求を受信部２０４から取得することができる。無線リソース制御部２０１１は、高度な受信機能の適用に関する情報を受信部２０４から取得することができる。
【０２０５】
無線リソース制御部２０１１は、自端末装置のケーパビリティを生成し、送信部２０３に出力することができる。無線リソース制御部２０１１は、自端末装置が設定可能な送信モードを示す情報を生成し、送信部２０３に出力することができる。無線リソース制御部２０１１は、ＣＳＩ-ＲＳを用いることができることを示す情報を生成し、送信部２０３に出力することができる。無線リソース制御部２０１１は、高度な受信機能を具備することを示す情報を生成し、送信部２０３に出力することができる。無線リソース制御部２０１１は、チャネル状態情報報告（CSI report）を生成し、送信部２０３に出力することができる。無線リソース制御部２０１１は、取得した前記情報を受信部２０４に入力することができる。
【０２０６】
スケジューリング情報解釈部２０１２は、受信部２０４を介して受信した下りリンク制御情報（DCIフォーマット、スケジューリング情報）を解釈する。スケジューリング情報解釈部２０１２は、前記ＤＣＩフォーマットを解釈した結果に基づき、受信部２０４および送信部２０３の制御を行なうために制御情報を生成し、制御部２０２に出力する。
【０２０７】
受信制御部２０１３は、下りリンク制御情報に付加されたＣＲＣパリティビットのスクランブルに用いられたＲＮＴＩに基づいてサブフレームを識別し、受信部２０４に対して、識別したサブフレームに基づいてＰＤＳＣＨをデコードするよう制御する。ここで、受信制御部２０１３の機能は、受信部２０４に含まれてもよい。
【０２０８】
制御部２０２は、上位層処理部２０１から入力された情報に基づいて、受信部２０４、および送信部２０３の制御を行なう制御信号を生成する。制御部２０２は、生成した制御信号を受信部２０４および送信部２０３に出力して受信部２０４、および送信部２０３の制御を行なう。
【０２０９】
制御部２０２は、チャネル測定部２０４４にチャネル推定に用いる参照信号に関する情報（参照信号系列、CRS、CSI-RSの種類など）やそのリソース割当ての制御を行なうことができる。制御部２０２は、チャネル測定部２０４４に干渉測定に用いる参照信号に関する情報（参照信号系列、CRS、CSI-RSの種類など）やそのリソース割当ての制御を行なうことができる。
【０２１０】
受信部２０４は、制御部２０２から入力された制御信号に従って、送受信アンテナ２０５を介して基地局装置１００−１から受信した受信信号を、分離、復調、復号し、復号した情報を上位層処理部２０１に出力する。
【０２１１】
無線受信部２０４１は、送受信アンテナ２０５を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０４１は、変換したディジタル信号からＣＰに相当する部分を除去し、ＣＰを除去した信号に対して高速フーリエ変換を行ない、周波数領域の信号を抽出する。
【０２１２】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。多重分離部２０４２は、チャネル測定部２０４４から入力された伝搬路の推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。多重分離部２０４２は、分離した下りリンク参照信号をチャネル測定部２０４４に出力する。
【０２１３】
チャネル測定部２０４４は、自局宛信号の復調に用いるためのチャネル推定、ＣＳＩを算出するためのチャネル推定、干渉測定、干渉信号のチャネル推定を行なう。前記チャネル推定及び干渉測定は、前記下りリンク参照信号（CRS、DM-RS、CSI-RSなど）を用いることができる。
【０２１４】
チャネル測定部２０４４は、前記ＣＳＩを算出するためのチャネル推定、干渉測定、干渉信号のチャネル推定を上位層処理部２０１に出力する。チャネル測定部２０４４は、自局宛信号の復調に用いるためのチャネル推定、前記干渉信号のチャネル推定値／干渉測定値を信号検出部２０４３に出力する。
【０２１５】
信号検出部２０４３は、ＰＤＳＣＨ、チャネル推定値、高度な受信機能の適用に関する情報／干渉信号の除去または抑圧に必要な情報に基づいて、自基地局装置に接続された端末装置の下りリンクデータ（トランスポートブロック）を検出し、上位層処理部２０１に出力する。信号検出部２０４３は、高度な受信機能を適用する旨を示した情報を取得した場合、前記高度な受信機能を用いて干渉信号の除去又は抑圧を行なう。前記干渉信号を除去又は抑圧する方法は、線形検出、最尤推定、干渉キャンセラ等である。線形検出は、ＬＭＭＳＥ−ＩＲＣ（Linear Minimum Mean Square Error-Interference Rejection Combining）、Ｅｎｈａｎｃｅｄ  ＬＭＭＳＥ−ＩＲＣ、ＷＬＭＭＳＥ−ＩＲＣ（Widely Linear MMSE-IRC）等である。最尤推定は、ＭＬ（Maximum Likelihood）、Ｒ−ＭＬ（Reduced complexity ML）、Ｉｔｅｒａｔｉｖｅ  ＭＬ、Ｉｔｅｒａｔｉｖｅ  Ｒ−ＭＬ等である。干渉キャンセラは、Ｔｕｒｂｏ  ＳＩＣ（Successive Interference Cancellation）、ＰＩＣ（Parallel Interference Cancellation）、Ｌ−ＣＷＩＣ（Linear Code Word level SIC）、ＭＬ−ＣＷＩＣ（ML Code Word level SIC）、ＳＬＩＣ（Symbol Level IC）、等である。
【０２１６】
例えば、干渉キャンセラを備える信号検出部２０４３は、干渉信号の除去または抑圧に必要な情報に含まれる他の基地局装置からの信号に対する変調方式、ＭＣＳ、空間多重数などを用いて、前記他の基地局装置からの信号を最尤復調／最尤復号する。前記信号検出部２０４３は、前記最尤復調／最尤復号の結果である軟判定値を用いて前記他の基地局装置からの信号のレプリカ信号を生成する。前記信号検出部２０４３は、前記レプリカ信号を多重分離部２０４２から入力される信号から減算することで干渉を抑圧する。前記信号検出部２０４３は、前記干渉を減算した信号に対して復調／復号を行なう。これにより、当該基地局装置からの所望信号を精度よく復調／復号をすることができる。
【０２１７】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０５を介して基地局装置１００−１に送信する。
【０２１８】
符号化部２０３１は、上位層処理部２０１から入力された上りリンク制御情報を畳み込み符号化、ブロック符号化等の符号化を行なう。また、符号化部２０３１は、ＰＵＳＣＨのスケジューリングに用いられる情報に基づきターボ符号化を行なう。
【０２１９】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０２２０】
上りリンク参照信号生成部２０３３は、基地局装置１００−１を識別するための物理セル識別子（physical cell identity:PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０２２１】
多重部２０３４は、制御部２０２から入力された制御信号に従って、ＰＵＳＣＨの変調シンボルを並列に並び替えてから離散フーリエ変換（Discrete Fourier Transform:DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０２２２】
無線送信部２０３５は、多重された信号を逆高速フーリエ変換（Inverse Fast Fourier Transform:IFFT）して、ＳＣ−ＦＤＭＡ方式の変調を行ない、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０５に出力して送信する。
【０２２３】
以上のように、ＣＳＩを算出するために考慮する干渉に関する情報を基地局装置が端末装置に送信することで、端末装置の受信能力も考慮して、様々な干渉を有する無線環境において、効率的なデータ伝送を実現することができる。
【０２２４】
なお、本実施形態で説明される干渉情報において、端末装置はその干渉情報を干渉信号のための情報であることを認識する必要はない。すなわち、その干渉情報は、端末装置がＣＳＩを測定、生成およびレポートを行なうための情報であり、単に情報またはＣＳＩのための情報としてもよい。
【０２２５】
なお、本実施形態に係る基地局装置及び移動局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２２６】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における移動局装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０２２７】
また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０２２８】
なお、本願発明は上述の実施形態に限定されるものではない。本願発明の端末装置は、移動局装置への適用に限定されるものではなく、屋内外に設置される据え置き型、または非可動型の電子機器、例えば、ＡＶ機器、キッチン機器、掃除・洗濯機器、空調機器、オフィス機器、自動販売機、その他生活機器等に適用出来ることは言うまでもない。
【０２２９】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０２３０】
本発明は、通信システムにおける基地局装置及び送信方法に用いて好適である。【０２３１】
なお、本国際出願は、２０１４年４月２８日に出願した日本国特許出願第２０１４−０９２３４７号に基づく優先権を主張するものであり、日本国特許出願第２０１４−０９２３４７号の全内容を本国際出願に援用する。
【符号の説明】
【０２３２】
１００−１、１００−２、１００−３  基地局装置
２００−１、２００−２、２００−３  端末装置
１０１  上位層処理部
１０２  制御部
１０３  送信部
１０４  受信部
１０５  送受信アンテナ
１０１１  無線リソース制御部
１０１２  スケジューリング部
１０１３  送信制御部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
１０４５  チャネル測定部
２０１  上位層処理部
２０２  制御部
２０３  送信部
２０４  受信部
２０５  送受信アンテナ
２０１１  無線リソース制御部
２０１２  スケジューリング情報解釈部
２０１３  受信制御部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
２０４４  チャネル測定部
【図１】
2015166769.tif 000003
【図２】
2015166769.tif 000004
【図３】
2015166769.tif 000005
【図４】
2015166769.tif 000006
【図５】
2015166769.tif 000007
【図６】
2015166769.tif 000008
【図７】
2015166769.tif 000009
【図８】
2015166769.tif 000010
【図９】
2015166769.tif 000011
【図１０】
2015166769.tif 000012
【図１１】
2015166769.tif 000013
【国際調査報告】
2015166769.tif 000014
2015166769.tif 000015